(57)【要約】  本開示のさまざまな態様は、一般的にワイヤレス通信に関する。いくつかの態様では、受信デバイスは、アップリンク−ダウンリンク時分割デュプレックス（ＴＤＤ）短縮送信時間間隔（ｓＴＴＩ）コンフィギュレーションを決定し、初期通信のために、アップリンク−ダウンリンク  ＴＤＤ  ｓＴＴＩコンフィギュレーション内の初期ｓＴＴＩを決定し、初期通信の少なくとも１回の反復または再送信の受信のために、初期ｓＴＴＩに後続する１つ以上のｓＴＴＩを監視してもよい。１つ以上のｓＴＴＩは、アップリンク−ダウンリンク  ＴＤＤ  ｓＴＴＩコンフィギュレーションに関係するパターンに少なくとも部分的に基づいて決定される。他の多くの観点が提供される。【選択図】図５
2021507585.tif 000002
【特許請求の範囲】
【請求項１】
低レイテンシモードまたは高信頼性モードで動作する受信デバイスにより実行されるワイヤレス通信の方法において、
アップリンク−ダウンリンク時分割デュプレックス（ＴＤＤ）短縮送信時間間隔（ｓＴＴＩ）コンフィギュレーションを決定することと、
初期通信の受信のために、前記アップリンク−ダウンリンクＴＤＤ  ｓＴＴＩコンフィギュレーション内の初期ｓＴＴＩを決定することと、
前記初期通信の少なくとも１回の反復または再送信の受信のために、前記初期ｓＴＴＩに後続する１つ以上のｓＴＴＩを監視することとを含み、
前記１つ以上のｓＴＴＩは、前記アップリンク−ダウンリンクＴＤＤ  ｓＴＴＩコンフィギュレーションに関係するパターンに少なくとも部分的に基づいて決定される方法。
【請求項２】
前記パターンは、前記初期ｓＴＴＩまたはチャネル品質情報に少なくとも部分的に基づいて決定される請求項１記載の方法。
【請求項３】
前記パターンは、
無線リソース制御（ＲＲＣ）コンフィギュレーションメッセージ、
ダウンリンク制御情報（ＤＣＩ）、または、
これらのいくつかの組み合わせ、
のうちの少なくとも１つにおいて示される請求項１記載の方法。
【請求項４】
前記パターンは、前記初期通信に関係する反復の回数に少なくとも部分的に基づいて決定される請求項１記載の方法。
【請求項５】
前記反復の回数は、ダウンリンク制御情報において示される請求項４記載の方法。
【請求項６】
前記パターンは、レイテンシ要件または信頼性要件のうちの少なくとも１つの満足を可能にする請求項１記載の方法。
【請求項７】
前記アップリンク−ダウンリンクＴＤＤ  ｓＴＴＩコンフィギュレーションは、
反復機会のしきい値数、
しきい値を満たす再送信タイミングを可能にするｓＴＴＩ割り振り、または、
これらのいくつかの組み合わせ、
を含む請求項１記載の方法。
【請求項８】
前記初期通信の少なくとも１回の反復または再送信のうちの最後の反復は、前記最後の反復に対応する肯定応答または否定応答（ＡＣＫ／ＮＡＣＫ）フィードバックの送信に対する特定されているタイミングを満たす請求項１記載の方法。
【請求項９】
前記パターンは、１回以上の反復を含み、再送信を含まない請求項１記載の方法。
【請求項１０】
前記アップリンク−ダウンリンクＴＤＤ  ｓＴＴＩコンフィギュレーションが、レイテンシ要件または信頼性要件のうちの少なくとも１つを満たす再送信タイミングを可能にしないとき、前記パターンは、前記１回以上の反復を含み、再送信を含まない請求項９記載の方法。
【請求項１１】
前記パターンは、１回以上の再送信を含み、反復を含まない請求項１記載の方法。
【請求項１２】
前記アップリンク−ダウンリンクＴＤＤ  ｓＴＴＩコンフィギュレーションが、肯定応答または否定応答（ＡＣＫ／ＮＡＣＫ）フィードバックの送信に対するおよび対応する再送信に対する機会のしきい値数を含むとき、前記パターンは、前記１回以上の再送信を含み、反復を含まない請求項１１記載の方法。
【請求項１３】
前記パターンは、１回以上の反復と１回以上の再送信とを含む請求項１記載の方法。
【請求項１４】
肯定応答または否定応答（ＡＣＫ／ＮＡＣＫ）フィードバックの送信に対するおよび対応する再送信に対する機会の数が、第１のしきい値を満たすが、第２のしきい値を満たさないとき、前記パターンは、前記１回以上の反復と前記１回以上の再送信とを含む請求項１３記載の方法。
【請求項１５】
前記パターンは、１回以上の反復が続く再送信を含む請求項１記載の方法。
【請求項１６】
前記１回以上の反復の回数は、前記初期通信に対応する否定応答（ＮＡＣＫ）の送信に関連して前記受信デバイスにより報告されるチャネル品質情報に少なくとも部分的に基づいて決定される請求項１５記載の方法。
【請求項１７】
前記パターンは、１回以上の再送信が続く１回以上の反復を含む請求項１記載の方法。
【請求項１８】
チャネル品質情報は、前記１回以上の反復のうちの最後の反復に対応する否定応答（ＮＡＣＫ）の送信に関連して前記受信デバイスにより報告される請求項１７記載の方法。
【請求項１９】
前記１回以上の再送信には、１回以上の追加の反復が続き、前記１回以上の追加の反復の回数は、前記受信デバイスにより報告される前記チャネル品質情報に少なくとも部分的に基づいて決定される請求項１８記載の方法。
【請求項２０】
前記受信デバイスは、ユーザ機器または基地局である請求項１記載の方法。
【請求項２１】
低レイテンシモードまたは高信頼性モードで動作する送信デバイスにより実行されるワイヤレス通信の方法において、
アップリンク−ダウンリンク時分割デュプレックス（ＴＤＤ）短縮送信時間間隔（ｓＴＴＩ）コンフィギュレーションを決定することと、
初期通信の送信のために、前記アップリンク−ダウンリンクＴＤＤ  ｓＴＴＩコンフィギュレーション内の初期ｓＴＴＩを決定することと、
前記初期ｓＴＴＩに後続する１つ以上のｓＴＴＩ中で、前記初期通信の少なくとも１回の反復または再送信を送信することとを含み、
前記１つ以上のｓＴＴＩは、前記アップリンク−ダウンリンクＴＤＤ  ｓＴＴＩコンフィギュレーションに関係するパターンに少なくとも部分的に基づいて決定される方法。
【請求項２２】
前記パターンは、前記初期ｓＴＴＩまたはチャネル品質情報に少なくとも部分的に基づいて決定される請求項２１記載の方法。
【請求項２３】
前記パターンは、
無線リソース制御（ＲＲＣ）コンフィギュレーションメッセージ、
ダウンリンク制御情報（ＤＣＩ）、または、
これらのいくつかの組み合わせ、
のうちの少なくとも１つにおいて示される請求項２１記載の方法。
【請求項２４】
前記パターンは、前記初期通信に関係する反復の回数に少なくとも部分的に基づいて決定される請求項２１記載の方法。
【請求項２５】
前記アップリンク−ダウンリンクＴＤＤ  ｓＴＴＩコンフィギュレーションは、
反復機会のしきい値数、
しきい値を満たす再送信タイミングを可能にするｓＴＴＩ割り振り、または、
これらのいくつかの組み合わせ、
を含む請求項２１記載の方法。
【請求項２６】
前記初期通信の少なくとも１回の反復または再送信のうちの最後の反復は、前記最後の反復に対応する肯定応答または否定応答（ＡＣＫ／ＮＡＣＫ）フィードバックの送信に対する特定されているタイミングを満たす請求項２１記載の方法。
【請求項２７】
前記パターンは、
１回以上の反復および再送信なし、
１回以上の再送信および反復なし、
１回以上の反復および１回以上の再送信、
１回以上の反復が続く再送信、または、
１回以上の再送信が続く１回以上の反復、
のうちの少なくとも１つを含む請求項２１記載の方法。
【請求項２８】
前記アップリンク−ダウンリンクＴＤＤ  ｓＴＴＩコンフィギュレーションが、レイテンシ要件または信頼性要件のうちの少なくとも１つを満たす再送信タイミングを可能にしないとき、前記パターンは、前記１回以上の反復を含み、再送信を含まず、
前記アップリンク−ダウンリンクＴＤＤ  ｓＴＴＩコンフィギュレーションが、肯定応答または否定応答（ＡＣＫ／ＮＡＣＫ）フィードバックの送信に対するおよび対応する再送信に対する機会のしきい値数を含むとき、前記パターンは、前記１回以上の再送信を含み、反復を含まず、
ＡＣＫ／ＮＡＣＫフィードバックの送信に対するおよび対応する再送信に対する機会の数が、第１のしきい値を満たすが、第２のしきい値を満たさないとき、前記パターンは、前記１回以上の反復と前記１回以上の再送信とを含む請求項２７記載の方法。
【請求項２９】
前記少なくとも１回の反復の回数は、前記初期通信に対応する否定応答（ＮＡＣＫ）の送信に関連して報告されるチャネル品質情報に少なくとも部分的に基づいて決定される請求項２１記載の方法。
【請求項３０】
チャネル品質情報は、前記少なくとも１回の反復のうちの最後の反復に対応する否定応答（ＮＡＣＫ）の送信に関連して報告される請求項２１記載の方法。
【請求項３１】
前記送信デバイスは、ユーザ機器または基地局である請求項２１記載の方法。
【請求項３２】
ワイヤレス通信のための受信デバイスにおいて、
メモリと、
前記メモリに結合されている１つ以上のプロセッサとを具備し、
前記メモリと前記１つ以上のプロセッサは、
アップリンク−ダウンリンク時分割デュプレックス（ＴＤＤ）短縮送信時間間隔（ｓＴＴＩ）コンフィギュレーションを決定し、
初期通信の受信のために、前記アップリンク−ダウンリンクＴＤＤ  ｓＴＴＩコンフィギュレーション内の初期ｓＴＴＩを決定し、
前記初期通信の少なくとも１回の反復または再送信の受信のために、前記初期ｓＴＴＩに後続する１つ以上のｓＴＴＩを監視するように構成され、
前記１つ以上のｓＴＴＩは、前記アップリンク−ダウンリンクＴＤＤ  ｓＴＴＩコンフィギュレーションに関係するパターンに少なくとも部分的に基づいて決定される受信デバイス。
【請求項３３】
前記パターンは、前記初期ｓＴＴＩまたはチャネル品質情報に少なくとも部分的に基づいて決定される請求項３２記載の受信デバイス。
【請求項３４】
前記パターンは、
無線リソース制御（ＲＲＣ）コンフィギュレーションメッセージ、
ダウンリンク制御情報（ＤＣＩ）、または、
これらのいくつかの組み合わせ、
のうちの少なくとも１つにおいて示される請求項３２記載の受信デバイス。
【請求項３５】
前記パターンは、前記初期通信に関係する反復の回数に少なくとも部分的に基づいて決定される請求項３２記載の受信デバイス。
【請求項３６】
前記初期通信の少なくとも１回の反復または再送信のうちの最後の反復は、前記最後の反復に対応する肯定応答または否定応答（ＡＣＫ／ＮＡＣＫ）フィードバックの送信に対する特定されているタイミングを満たす請求項３２載の受信デバイス。
【請求項３７】
ワイヤレス通信のための送信デバイスにおいて、
メモリと、
前記メモリに結合されている１つ以上のプロセッサとを具備し、
前記メモリと前記１つ以上のプロセッサは、
アップリンク−ダウンリンク時分割デュプレックス（ＴＤＤ）短縮送信時間間隔（ｓＴＴＩ）コンフィギュレーションを決定し、
初期通信の送信のために、前記アップリンク−ダウンリンクＴＤＤ  ｓＴＴＩコンフィギュレーション内の初期ｓＴＴＩを決定し、
前記初期ｓＴＴＩに後続する１つ以上のｓＴＴＩ中で、前記初期通信の少なくとも１回の反復または再送信を送信するように構成され、
前記１つ以上のｓＴＴＩは、前記アップリンク−ダウンリンクＴＤＤ  ｓＴＴＩコンフィギュレーションに関係するパターンに少なくとも部分的に基づいて決定される送信デバイス。
【請求項３８】
前記パターンは、前記初期ｓＴＴＩまたはチャネル品質情報に少なくとも部分的に基づいて決定される請求項３７記載の送信デバイス。
【請求項３９】
前記パターンは、
無線リソース制御（ＲＲＣ）コンフィギュレーションメッセージ、
ダウンリンク制御情報（ＤＣＩ）、または、
これらのいくつかの組み合わせ、
のうちの少なくとも１つにおいて示される請求項３７記載の送信デバイス。
【請求項４０】
前記パターンは、前記初期通信に関係する反復の回数に少なくとも部分的に基づいて決定される請求項３７記載の送信デバイス。
【請求項４１】
前記初期通信の少なくとも１回の反復または再送信のうちの最後の反復は、前記最後の反復に対応する肯定応答または否定応答（ＡＣＫ／ＮＡＣＫ）フィードバックの送信に対する特定されているタイミングを満たす請求項３７記載の送信デバイス。
【発明の詳細な説明】
【米国特許法第１１９条下での関連出願に対する相互参照】
【０００１】
［０００１］
本出願は、２０１７年１２月１３日に出願され、「時分割デュプレックスワイヤレス通信システムにおける高信頼性低レイテンシ動作のための技法および装置」と題する米国仮特許出願第６２／５９８，２７１号と、２０１８年１２月１０日出願され、「時分割デュプレックスワイヤレス通信システムにおける高信頼性低レイテンシ動作」と題する米国非仮特許出願第１６／２１４，９０９号とに対して優先権を主張し、これらは参照により明示的にここに組み込まれている。
【開示の分野】
【０００２】
［０００２］
本開示の態様は、一般に、ワイヤレス通信に関し、より詳細には、時分割デュプレックス（ＴＤＤ）ワイヤレス通信システムにおける高信頼性低レイテンシ動作のための技法および装置に関する。
【背景】
【０００３】
［０００３］
ワイヤレス通信システムは、電話、ビデオ、データ、メッセージング、およびブロードキャストのような、さまざまな電気通信サービスを提供するために広く配備されている。典型的なワイヤレス通信システムは、利用可能なシステムリソース（例えば、帯域幅、送信電力、および／または、これらに類するもの）を共有することにより、複数のユーザとの通信をサポートすることが可能な多元接続技術を用いるかもしれない。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システム、および、ロングタームエボリューション（ＬＴＥ）（登録商標）を含んでいる。ＬＴＥ／ＬＴＥアドバンストは、第３世代パートナーシッププロジェクト（３ＧＰＰ（登録商標））により公表されているユニバーサル移動体電気通信システム（ＵＭＴＳ）移動体標準規格の拡張のセットである。
【０００４】
［０００４］
ワイヤレス通信ネットワークは、多数のユーザ機器（ＵＥ）のための通信をサポートすることができる多数の基地局（ＢＳ）を含んでいるかもしれない。ユーザ機器（ＵＥ）は、ダウンリンクおよびアップリンクを介して、基地局（ＢＳ）と通信してもよい。ダウンリンク（または、順方向リンク）は、ＢＳからＵＥへの通信リンクを指し、アップリンク（または、逆方向リンク）は、ＵＥからＢＳへの通信リンクを指す。ここでより詳細に説明するように、ＢＳは、ノードＢ、ｇＮＢ、アクセスポイント（ＡＰ）、無線ヘッド、送受信ポイント（ＴＲＰ）、新しい無線（ＮＲ）ＢＳ、５ＧノードＢ、および／または、これらに類するものとして呼ばれることがある。
【０００５】
［０００５］
上記の多元接続技術は、異なるユーザ機器が都市、国家、地域、さらには地球規模で通信することを可能にする共通のプロトコルを提供するために、さまざまな電気通信標準規格において用いられてきた。５Ｇとしても呼ばれることもある新しい無線（ＮＲ）は、第３世代パートナーシッププロジェクト（３ＧＰＰ）により公表されたＬＴＥ移動体標準規格に対する拡張のセットである。ＮＲは、アップリンク（ＵＬ）上では（例えば、離散フーリエ変換拡散ＯＦＤＭ（ＤＦＴ−ｓ−ＯＦＤＭ）としても知られている）ＣＰ−ＯＦＤＭおよび／またはＳＣ−ＦＤＭを使用し、アップリンク（ＤＬ）上ではサイクリックプレフィックス（ＣＰ）（ＣＰ−ＯＦＤＭ）を用いる、直交周波数分割多重化（ＯＦＤＭ）を使用して、スペクトル効率を向上させ、コストを低減し、サービスを改善し、新しいスペクトルを使用し、他のオープン標準規格とのより良好な統合を行うことにより、移動体ブロードバンドインターネットアクセスをより良好にサポートするとともに、ビーム形成、多入力多出力（ＭＩＭＯ）アンテナ技術、および、キャリアアグリゲーションをサポートするように設計されている。しかしながら、移動体ブロードバンドアクセスの需要が増加し続けるにつれて、ＬＴＥ技術およびＮＲ技術のさらなる改善の必要性が存在する。好ましくは、これらの改善は、他の多元接続技術およびこれらの技術を用いる電気通信標準規格に適用可能であるべきである。
【概要】
【０００６】
［０００６］
いくつかの態様では、低レイテンシモードまたは高信頼性モードで動作している受信デバイスにより実行されるワイヤレス通信の方法は、アップリンク−ダウンリンク時分割デュプレックス（ＴＤＤ）短縮送信時間間隔（ｓＴＴＩ）コンフィギュレーションを決定することと、初期通信の受信のために、アップリンク−ダウンリンクＴＤＤ  ｓＴＴＩコンフィギュレーション内の初期ｓＴＴＩを決定することと、初期通信の少なくとも１回の反復または再送信の受信のために、初期ｓＴＴＩに後続する１つ以上のｓＴＴＩを監視することとを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。
【０００７】
［０００７］
いくつかの態様では、低レイテンシモードまたは高信頼性モードで動作している送信デバイスにより実行されるワイヤレス通信の方法は、アップリンク−ダウンリンク時分割デュプレックス（ＴＤＤ）短縮送信時間間隔（ｓＴＴＩ）コンフィギュレーションを決定することと、初期通信の送信のために、アップリンク−ダウンリンクＴＤＤ  ｓＴＴＩコンフィギュレーション内の初期ｓＴＴＩを決定することと、初期ｓＴＴＩに後続する１つ以上のｓＴＴＩ中で、初期通信の少なくとも１回の反復または再送信を送信することとを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。
【０００８】
［０００８］
いくつかの態様では、ワイヤレス通信のための受信デバイスは、メモリと、メモリに結合されている１つ以上のプロセッサとを含んでいる。メモリと１つ以上のプロセッサは、アップリンク−ダウンリンク時分割デュプレックス（ＴＤＤ）短縮送信時間間隔（ｓＴＴＩ）コンフィギュレーションを決定し、初期通信の受信のために、アップリンク−ダウンリンクＴＤＤ  ｓＴＴＩコンフィギュレーション内の初期ｓＴＴＩを決定し、初期通信の少なくとも１回の反復または再送信の受信のために、初期ｓＴＴＩに後続する１つ以上のｓＴＴＩを監視するように構成されていてもよく、１つ以上のｓＴＴＩは、アップリンク−ダウンリンクＴＤＤ  ｓＴＴＩコンフィギュレーションに関係するパターンに少なくとも部分的に基づいて決定される。
【０００９】
［０００９］
いくつかの態様では、ワイヤレス通信のための送信デバイスは、メモリと、メモリに結合されている１つ以上のプロセッサとを含んでいてもよい。メモリと１つ以上のプロセッサは、アップリンク−ダウンリンク時分割デュプレックス（ＴＤＤ）短縮送信時間間隔（ｓＴＴＩ）コンフィギュレーションを決定し、初期通信の送信のために、アップリンク−ダウンリンクＴＤＤ  ｓＴＴＩコンフィギュレーション内の初期ｓＴＴＩを決定し、初期ｓＴＴＩに後続する１つ以上のｓＴＴＩ中で、初期通信の少なくとも１回の反復または再送信を送信するように構成されていてもよく、１つ以上のｓＴＴＩは、アップリンク−ダウンリンクＴＤＤ  ｓＴＴＩコンフィギュレーションに関係するパターンに少なくとも部分的に基づいて決定される。
【００１０】
［００１０］
いくつかの態様では、非一時的コンピュータ読取可能媒体は、ワイヤレス通信のための１つ以上の命令を記憶していてもよい。１つ以上の命令は、受信デバイスの１つ以上のプロセッサにより実行されるときに、１つ以上のプロセッサに、アップリンク−ダウンリンク時分割デュプレックス（ＴＤＤ）短縮送信時間間隔（ｓＴＴＩ）コンフィギュレーションを決定させ、初期通信の受信のために、アップリンク−ダウンリンクＴＤＤ  ｓＴＴＩコンフィギュレーション内の初期ｓＴＴＩを決定させ、初期通信の少なくとも１回の反復または再送信の受信のために、初期ｓＴＴＩに後続する１つ以上のｓＴＴＩを監視させてもよく、１つ以上のｓＴＴＩは、アップリンク−ダウンリンクＴＤＤ  ｓＴＴＩコンフィギュレーションに関係するパターンに少なくとも部分的に基づいて決定される。
【００１１】
［００１１］
いくつかの態様では、非一時的コンピュータ読取可能媒体は、ワイヤレス通信のための１つ以上の命令を記憶していてもよい。１つ以上の命令は、送信デバイスの１つ以上のプロセッサにより実行されるときに、１つ以上のプロセッサに、アップリンク−ダウンリンク時分割デュプレックス（ＴＤＤ）短縮送信時間間隔（ｓＴＴＩ）コンフィギュレーションを決定させ、初期通信の送信のために、アップリンク−ダウンリンクＴＤＤ  ｓＴＴＩコンフィギュレーション内の初期ｓＴＴＩを決定させ、初期ｓＴＴＩに後続する１つ以上のｓＴＴＩ中で、初期通信の少なくとも１回の反復または再送信を送信させてもよく、１つ以上のｓＴＴＩは、アップリンク−ダウンリンクＴＤＤ  ｓＴＴＩコンフィギュレーションに関係するパターンに少なくとも部分的に基づいて決定される。
【００１２】
［００１２］
いくつかの態様では、ワイヤレス通信のための装置は、アップリンク−ダウンリンク時分割デュプレックス（ＴＤＤ）短縮送信時間間隔（ｓＴＴＩ）コンフィギュレーションを決定する手段と、初期通信の受信のために、アップリンク−ダウンリンクＴＤＤ  ｓＴＴＩコンフィギュレーション内の初期ｓＴＴＩを決定する手段と、初期通信の少なくとも１回の反復または再送信の受信のために、初期ｓＴＴＩに後続する１つ以上のｓＴＴＩを監視する手段とを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。
【００１３】
［００１３］
いくつかの態様では、ワイヤレス通信のための装置は、アップリンク−ダウンリンク時分割デュプレックス（ＴＤＤ）短縮送信時間間隔（ｓＴＴＩ）コンフィギュレーションを決定する手段と、初期通信の送信のために、アップリンク−ダウンリンクＴＤＤ  ｓＴＴＩコンフィギュレーション内の初期ｓＴＴＩを決定する手段と、初期ｓＴＴＩに後続する１つ以上のｓＴＴＩ中で、初期通信の少なくとも１回の反復または再送信を送信する手段とを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。
【００１４】
［００１４］
態様は、一般的に、実質的に、添付図面および明細書を参照してここで説明され、添付図面により図示されている、方法、デバイス、装置、システム、コンピュータプログラム製品、非一時的コンピュータ読取可能媒体、ユーザ機器、基地局、受信デバイス、送信デバイス、ワイヤレス通信デバイス、および、処理システムを含んでいる。
【００１５】
［００１５］
先のものは、続く詳細な説明をより良く理解できるようにするために、開示にしたがって、例の特徴および技術的な利点をむしろ広く概説している。追加の特徴および利点を以下で説明する。開示された概念および特定の例は、本開示の同じ目的を実行するための他の構造を修正または設計するための基礎として容易に利用してもよい。このような均等な構造は、添付の特許請求の範囲から逸脱しない。ここで開示される概念の特徴、それらの編成および動作の方法の両方は、関係する利点とともに、添付の図面に関連して考慮されるとき、以下の説明からより良く理解されるであろう。図面のそれぞれは、例示および説明のために提供され、特許請求の範囲の限定の定義として提供されているものではない。
【００１６】
［００１６］
本開示の上記で説明した特徴が詳細に理解されるように、上記で簡単に要約したもののより具体的な説明が、態様を参照することにより、なされており、態様のうちのいくつかが添付の図面に示されている。しかしながら、添付の図面は、本開示のある典型的な態様のみを示し、したがって、その範囲を限定するものとみなされるべきではないことに留意されたい。説明は他の等しく有効な態様を認めている。異なる図面の同じ参照番号は同じまたは類似する要素を識別している。
【図面の簡単な説明】
【００１７】
【図１】［００１７］  図１は、本開示のさまざまな態様による、ワイヤレス通信ネットワークの例を概念的に示すブロック図である。
【図２】［００１８］  図２は、本開示のさまざまな態様による、ワイヤレス通信ネットワーク中のユーザ機器（ＵＥ）と通信している基地局の例を概念的に示すブロック図である。
【図３】［００１９］  図３は、本開示のさまざまな態様による、ワイヤレス通信ネットワーク中のフレーム構造の例を概念的に示すブロック図である。
【図４】［００２０］  図４は、本開示のさまざまな態様による、時分割デュプレックス（ＴＤＤ）ワイヤレス通信システムにおける高信頼性低レイテンシ動作に関連する例を示す図である。
【図５】図５は、本開示のさまざまな態様による、時分割デュプレックス（ＴＤＤ）ワイヤレス通信システムにおける高信頼性低レイテンシ動作に関連する例を示す図である。
【図６】図６は、本開示のさまざまな態様による、時分割デュプレックス（ＴＤＤ）ワイヤレス通信システムにおける高信頼性低レイテンシ動作に関連する例を示す図である。
【図７】図７は、本開示のさまざまな態様による、時分割デュプレックス（ＴＤＤ）ワイヤレス通信システムにおける高信頼性低レイテンシ動作に関連する例を示す図である。
【図８】図８は、本開示のさまざまな態様による、時分割デュプレックス（ＴＤＤ）ワイヤレス通信システムにおける高信頼性低レイテンシ動作に関連する例を示す図である。
【図９】図９は、本開示のさまざまな態様による、時分割デュプレックス（ＴＤＤ）ワイヤレス通信システムにおける高信頼性低レイテンシ動作に関連する例を示す図である。
【図１０】図１０は、本開示のさまざまな態様による、時分割デュプレックス（ＴＤＤ）ワイヤレス通信システムにおける高信頼性低レイテンシ動作に関連する例を示す図である。
【図１１】［００２１］  図１１は、本開示のさまざまな態様による、例えば、受信デバイスにより実行される例示的なプロセスを示す図である。
【図１２】［００２２］  図１２は、本開示のさまざまな態様による、例えば、送信デバイスにより実行される例示的なプロセスを示す図である。
【詳細な説明】
【００１８】
［００２３］
本開示のさまざまな態様を、添付の図面を参照して以下でより完全に説明する。しかしながら、本開示は、多くの異なる形態で具現化してもよく、本開示を通して提示される任意の特定の構造または機能に限定されるものと解釈すべきではない。むしろ、これらの態様は、本開示が徹底的かつ完全になり、本開示の範囲を当業者に完全に伝えるように、提供されている。本明細書の教示に基づいて、本開示の範囲は、独立して実現されるか、または、本開示の他の態様と組み合わされるにせよ、ここで開示される本開示の任意の態様をカバーすることが意図されていることを、当業者は諒解されたい。例えば、ここに記載の任意の数の態様を使用して、装置を実現してもよく、または、方法を実施してもよい。加えて、この開示の範囲は、ここで説明する開示のさまざまな態様に加えて、あるいは、これ以外の、他の構造、機能性、または、構造および機能性を使用して実施される、このような装置または方法をカバーすることを意図している。ここで開示されている本開示の任意の態様が、請求項の１つ以上の要素により具現化されていてもよいことを理解されたい。
【００１９】
［００２４］
さまざまな装置および技法を参照して、電気通信システムのいくつかの態様を提示する。これらの装置および技法は、以下の詳細な説明において説明され、さまざまなブロック、モジュール、コンポーネント、回路、ステップ、プロセス、アルゴリズム、および／または、これらに類するもの（「要素」と総称される）により、添付の図面に例示されている。これらの要素は、ハードウェア、ソフトウェア、または、これらの組み合わせを使用して実現してもよい。このような要素がハードウェアとして実現されるか、ソフトウェアとして実現されるかは、特定のアプリケーションおよびシステム全体に課される設計制約に依存する。
【００２０】
［００２５］
３Ｇおよび／または４Ｇワイヤレス技術に共通で一般的に関係する専門用語を使用して、態様をここで説明するかもしれないが、本開示の態様は、ＮＲ技術を含む、５Ｇおよびそれ以降のもののような、他の世代ベースの通信システムにおいて適用することができることに留意すべきである。
【００２１】
［００２６］
図１は、本開示の態様を実施してもよいネットワーク１００を示す図である。ネットワーク１００は、ＬＴＥネットワーク、あるいは、５ＧまたはＮＲネットワークのような他の何らかの無線ネットワークであってもよい。ワイヤレスネットワーク１００は、（ＢＳ１１０ａ、ＢＳ１１０ｂ、ＢＳ１１０ｃ、および、ＢＳ１１０ｄとして示される）多数のＢＳ１１０と、他のネットワークエンティティとを含んでいてもよい。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送受信ポイント（ＴＲＰ）、および／または、これらに類するものとして呼ばれることもある。各ＢＳは、特定の地理的エリアのための通信カバレージを提供してもよい。３ＧＰＰでは、「セル」という用語は、その用語が使用されるコンテキストに依存して、ＢＳのカバレージエリアおよび／またはこのカバレージエリアにサービスするＢＳサブシステムを指すことがある。
【００２２】
［００２７］
ＢＳは、マクロセル、ピコセル、フェムトセル、および／または、別のタイプのセルのための通信カバレージを提供してもよい。マクロセルは、比較的大きい地理的エリア（例えば、半径数キロメートル）をカバーしていてもよく、サービス加入を有するＵＥによる無制限アクセスを可能にしていてもよい。ピコセルは、比較的小さい地理的エリアをカバーしていてもよく、サービス加入を有するＵＥによる無制限アクセスを可能にしていてもよい。フェムトセルは、比較的小さい地理的エリア（例えば、自宅）をカバーしていてもよく、フェムトセルと関係を有するＵＥ（例えば、クローズド加入者グループ（ＣＳＧ）中のＵＥ）による制限付きアクセスを可能にしていてもよい。マクロセルのためのＢＳは、マクロＢＳとして呼ばれることもある。ピコセルのためのＢＳは、ピコＢＳとして呼ばれることもある。フェムトセルのためのＢＳは、フェムトＢＳまたはホームＢＳとして呼ばれることもある。図１に示されている例では、ＢＳ１１０ａはマクロセル１０２ａのためのマクロＢＳであり、ＢＳ１１０ｂはピコセル１０２ｂのためのピコＢＳであり、ＢＳ１１０ｃはフェムトセル１０２ｃのためのフェムトＢＳである。ＢＳは、１つ以上の（例えば、３つの）セルをサポートしていてもよい。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および、「セル」という用語は、ここでは互換的に使用するかもしれない。
【００２３】
［００２８］
いくつかの態様では、セルは、必ずしも静止していないことがあり、セルの地理的エリアは、移動体ＢＳの位置にしたがって移動してもよい。いくつかの態様では、ＢＳは、任意の適切なトランスポートネットワークを使用する、直接物理接続、仮想ネットワーク、および／または、これらに類するもののような、さまざまなタイプのバックホールインターフェースを通して、アクセスネットワーク１００中で、互いに、ならびに／あるいは、１つ以上の他のＢＳまたはネットワークノード（図示せず）と、相互接続されていてもよい。
【００２４】
［００２９］
ワイヤレスネットワーク１００はまた、中継局を含んでいてもよい。中継局は、アップストリーム局（例えば、ＢＳまたはＵＥ）からのデータの送信を受信し、データの送信をダウンストリーム局（例えば、ＵＥまたはＢＳ）に送信することができるエンティティである。中継局はまた、他のＵＥのために送信を中継することができるＵＥであってもよい。図１に示す例では、中継局１１０ｄは、ＢＳ１１０ａとＵＥ１２０ｄとの間の通信を容易にするために、マクロＢＳ１１０ａおよびＵＥ１２０ｄと通信していてもよい。中継局は、中継ＢＳ、中継基地局、中継器、および／または、これらに類するものとして呼ばれることもある。
【００２５】
［００３０］
ワイヤレスネットワーク１００は、異なるタイプのＢＳ、例えば、マクロＢＳ、ピコＢＳ、フェムトＢＳ、中継ＢＳ、および／または、これらに類するものを含む異種ネットワークであってもよい。これらの異なるタイプのＢＳは、ワイヤレスネットワーク１００中で、異なる送信電力レベル、異なるカバレージエリア、および、干渉における異なる影響を有するかもしれない。例えば、マクロＢＳは、高い送信電力レベル（例えば、５〜４０ワット）を有していてもよいが、ピコＢＳ、フェムトＢＳ、および、中継ＢＳは、より低い送信電力レベル（例えば、０．１〜２ワット）を有しているかもしれない。
【００２６】
［００３１］
ネットワーク制御装置１３０は、ＢＳのセットに結合していてもよく、これらのＢＳに対する協同および制御を提供してもよい。ネットワーク制御装置１３０は、バックホールを介して、ＢＳと通信していてもよい。ＢＳはまた、例えば、直接的または間接的に、ワイヤレスバックホールまたはワイヤラインバックホールを介して、互いに通信していてもよい。
【００２７】
［００３２］
ＵＥ１２０（例えば、１２０ａ、１２０ｂ、１２０ｃ）は、ワイヤレスネットワーク１００全体に渡って分散されていてもよく、各ＵＥは、静止していてもまたは移動体であってもよい。ＵＥは、アクセス端末、端末、移動局、加入者ユニット、局、および／または、これらに類するものとして呼ばれることもある。ＵＥは、セルラーフォン（例えば、スマートフォン）、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲームデバイス、ネットブック、スマートブック、ウルトラブック、医療デバイスまたは機器、バイオメトリックセンサ／デバイス、ウェアラブルデバイス（スマートウォッチ、スマート衣類、スマートグラス、スマートリストバンド、スマートジュエリー（例えば、スマートリング、スマートブレスレット））、娯楽デバイス（例えば、音楽またはビデオデバイス、または、衛星無線機）、車両コンポーネントまたはセンサ、スマートメータ／センサ、工業製造機器、グローバルポジショニングシステムデバイス、あるいは、ワイヤレス媒体または有線媒体を介して通信するように構成されている他の任意の適切なデバイスであってもよい。
【００２８】
［００３３］
いくつかのＵＥは、マシンタイプ通信（ＭＴＣ）あるいは発展型または拡張型マシンタイプ通信（ｅＭＴＣ）ＵＥと考えてもよい。ＭＴＣおよびｅＭＴＣ  ＵＥは、例えば、基地局、別のデバイス（例えば、遠隔デバイス）、または、他の何らかのエンティティと通信するかもしれない、ロボットと、ドローンと、センサ、メータ、モニタ、位置タグ、および／または、これらに類するもののような遠隔デバイスとを含んでいる。ワイヤレスノードは、有線またはワイヤレス通信リンクを介して、例えば、ネットワーク（例えば、インターネットまたはセルラーネットワークのような広域ネットワーク）のための、または、ネットワークへの接続性を提供してもよい。いくつかのＵＥは、モノのインターネット（ＩｏＴ）デバイスと考えてもよく、および／または、ＮＢ−ＩｏＴ（狭帯域のモノのインターネット）デバイスとして実現してもよい。いくつかのＵＥは、顧客宅内機器（ＣＰＥ）と考えてもよい。ＵＥ１２０は、プロセッサコンポーネント、メモリコンポーネント、および／または、これらに類するもののような、ＵＥ１２０のコンポーネントを収容するハウジング内部に含まれていてもよい。
【００２９】
［００３４］
一般に、任意の数のワイヤレスネットワークが、所定の地理的エリアに配備されていてもよい。各ワイヤレスネットワークは、特定のＲＡＴをサポートしていてもよく、１つ以上の周波数上で動作していてもよい。ＲＡＴは、無線技術、エアインターフェース、および／または、これらに類するものとして呼ばれることもある。周波数は、搬送波、周波数チャネル、および／または、これらに類するものとして呼ばれることもある。各周波数は、異なるＲＡＴのワイヤレスネットワーク間の干渉を回避するために、所定の地理的エリアにおいて単一のＲＡＴをサポートしていてもよい。いくつかのケースでは、ＮＲまたは５Ｇ  ＲＡＴネットワークが配備されていてもよい。
【００３０】
［００３５］
いくつかの態様では、（例えば、ＵＥ１２０ａおよびＵＥ１２０ｅとして示される）２つ以上のＵＥ１２０は、１つ以上のサイドリンクチャネルを使用して、（例えば、互いに通信するために中間として基地局１１０を使用することなく）直接的に通信してもよい。例えば、ＵＥ１２０は、ピアツーピア（Ｐ２Ｐ）通信、デバイスツーデバイス（Ｄ２Ｄ）通信、（例えば、車両−車両（Ｖ２Ｖ）プロトコル、車両−インフラストラクチャ（Ｖ２Ｉ）プロトコル、および／または、これらに類するものを含んでいるかもしれない）車両ツーエブリスング（Ｖ２Ｘ）プロトコル、メッシュネットワーク、および／または、これらに類するものを使用して通信してもよい。このケースでは、ＵＥ１２０は、スケジューリング動作、リソース選択動作、および／または、基地局１１０により実行されるものとして、本明細書の他の場所で説明されている他の動作を実行してもよい。
【００３１】
［００３６］
いくつかの態様では、ＵＥ１２０および／または基地局１１０は、レイテンシ要件に関係する低レイテンシモードで動作してもよく、および／または、信頼性要件に関係する高信頼性モードで動作していてもよい。例えば、ＵＥ１２０および／または基地局１１０は、超高信頼性低レイテンシ通信（ＵＲＬＬＣ）モードで動作していてもよい。ＵＲＬＬＣモードは、例えば、１０−５未満の送信エラーレートで３２バイトのパケットを送るための１ｍ秒のレイテンシ要件、１０−５未満の送信エラーレートで３２バイトのパケットを送るための１０ｍ秒のレイテンシ要件、または、しきい値未満の送信エラーレートで特定のサイズのパケットを送るための別のレイテンシ要件に関係していてもよい。
【００３２】
［００３７］
上述のように、図１は、例として提供されている。他の例は、図１に関して説明したものと異なっていてもよい。
【００３３】
［００３８］
図２は、図１の基地局のうちの１つおよびＵＥのうちの１つであってもよい、基地局１１０およびＵＥ１２０の設計のブロック図を示す。基地局１１０は、Ｔ本のアンテナ２３４ａ〜２３４ｔを装備していてもよく、ＵＥ１２０は、Ｒ本のアンテナ２５２ａ〜２５２ｒを装備していてもよく、ここで、一般に、Ｔ≧１であり、Ｒ≧１である。
【００３４】
［００３９］
基地局１１０において、送信プロセッサ２２０は、１つ以上のＵＥのために、データソース２１２からデータを受け取り、ＵＥから受け取ったチャネル品質インジケータ（ＣＱＩ）に少なくとも部分的に基づいて、各ＵＥのための１つ以上の変調およびコーディングスキーム（ＭＣＳ）を選択し、ＵＥのために選択したＭＣＳに少なくとも部分的に基づいて、各ＵＥのためのデータを処理（例えば、エンコードおよび変調）し、すべてのＵＥのためのデータシンボルを提供してもよい。送信プロセッサ２２０はまた、（例えば、半静的リソース区分情報（ＳＲＰＩ）、および／または、これらに類するもののための）システム情報および制御情報（例えば、ＣＱＩ要求、許可、上位レイヤシグナリング、および／または、これらに類するもの）を処理し、オーバーヘッドシンボルおよび制御シンボルを提供してもよい。送信プロセッサ２２０はまた、基準信号（例えば、セル特有基準信号（ＣＲＳ））のための基準シンボルおよび同期信号（例えば、１次同期信号（ＰＳＳ）および２次同期信号（ＳＳＳ））を発生させてもよい。送信（ＴＸ）多入力多出力（ＭＩＭＯ）プロセッサ２３０は、適用可能な場合、データシンボル、制御シンボル、オーバーヘッドシンボル、および／または、基準シンボルにおいて、空間処理（例えば、プリコーディング）を実行してもよく、Ｔ個の出力シンボルストリームをＴ個の変調器（ＭＯＤ）２３２ａ〜２３２ｔに提供してもよい。各変調器２３２は、（例えば、ＯＦＤＭ、および／または、これらに類するもののために）それぞれの出力シンボルストリームを処理して、出力サンプルストリームを取得してもよい。各変調器２３２は、出力サンプルストリームをさらに処理（例えば、アナログへの変換、増幅、フィルタ処理、および、アップコンバート）して、ダウンリンク信号を取得してもよい。アンテナ２３４ａ〜２３４ｔを通して、変調器２３２ａ〜２３２ｔからのダウンリンク信号をそれぞれ送信してもよい。以下でより詳細に説明するさまざまな態様にしたがうと、追加の情報を伝えるために、位置エンコーディングにより同期信号を発生させてもよい。
【００３５】
［００４０］
ＵＥ１２０において、アンテナ２５２ａ〜２５２ｒは、基地局１１０および／または他の基地局からダウンリンク信号を受信して、受信した信号を復調器（ＤＥＭＯＤ）２５４ａ〜２５４ｒにそれぞれ提供してもよい。各復調器２５４は、受信した信号を調整（例えば、フィルタ処理、増幅、ダウンコンバート、および、デジタル化）して、入力サンプルを取得してもよい。各復調器２５４は、（例えば、ＯＦＤＭ、および／または、これらに類するもののために）入力サンプルをさらに処理して、受信したシンボルを取得してもよい。ＭＩＭＯ検出器２５６は、Ｒ個すべての復調器２５４ａ〜２５４ｒから受信したシンボルを取得し、適用可能な場合、受信したシンボルに対してＭＩＭＯ検出を実行し、検出したシンボルを提供してもよい。受信プロセッサ２５８は、検出したシンボルを処理（例えば、復調およびデコード）し、ＵＥ１２０のためにデコードしたデータをデータシンク２６０に提供し、デコードした制御情報およびシステム情報を制御装置／プロセッサ２８０に提供してもよい。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、および／または、これらに類するものを決定してもよい。
【００３６】
［００４１］
アップリンク上で、ＵＥ１２０において、送信プロセッサ２６４は、データソース２６２からデータを受け取って処理し、制御装置／プロセッサ２８０から（例えば、ＲＳＲＰ、ＲＳＳＩ、ＲＳＲＱ、ＣＱＩ、および／または、これらに類するものを含む報告のために）制御情報を受け取って処理してもよい。送信プロセッサ２６４はまた、１つ以上の基準信号に対する基準シンボルを発生させてもよい。送信プロセッサ２６４からのシンボルは、適用可能な場合、ＴＸ  ＭＩＭＯプロセッサ２６６によりプリコーディングされ、（例えば、ＤＦＴ−ｓ−ＯＦＤＭ、ＣＰ−ＯＦＤＭ、および／または、これらに類するもののために）変調器２５４ａ〜２５４ｒによりさらに処理され、基地局１１０に送信されてもよい。基地局１１０において、ＵＥ１２０および他のＵＥからのアップリンク信号は、アンテナ２３４により受信され、復調器２３２により処理され、適用可能な場合、ＭＩＭＯ検出器２３６により検出され、さらに受信プロセッサ２３８により処理されて、ＵＥ１２０により送信されデコードされたデータおよび制御情報が取得されてもよい。受信プロセッサ２３８は、デコードされたデータをデータシンク２３９に、そして、デコードされた制御情報を制御装置／プロセッサ２４０に提供してもよい。基地局１１０は、通信ユニット２４４を含んでいてもよく、通信ユニット２４４を介して、ネットワーク制御装置１３０に通信してもよい。ネットワーク制御装置１３０は、通信ユニット２９４、制御装置／プロセッサ２９０、および、メモリ２９２を含んでいてもよい。
【００３７】
［００４２］
いくつかの態様では、ＵＥ１２０の１つ以上のコンポーネントが、ハウジング中に含まれていてもよい。基地局１１０の制御装置／プロセッサ２４０、ＵＥ１２０の制御装置／プロセッサ２８０、および／または、図２の他の任意のコンポーネントは、本明細書の他の場所でより詳細に説明するように、ＴＤＤワイヤレス通信システムにおける高信頼性低レイテンシ動作に関係する１つ以上の技法を実行してもよい。例えば、基地局１１０の制御装置／プロセッサ２４０、ＵＥ１２０の制御装置／プロセッサ２８０、および／または、図２の他の任意のコンポーネントは、例えば、図１１のプロセス１１００の、図１２のプロセス１２００の、および／または、ここで説明する他のプロセスの動作を実行するか、または、それらの動作を指示してもよい。メモリ２４２および２８２は、それぞれ、基地局１１０およびＵＥ１２０のためのデータおよびプログラムコードを記憶していてもよい。スケジューラ２４６は、ダウンリンクおよび／またはアップリンク上でのデータ送信のために、ＵＥをスケジューリングしてもよい。
【００３８】
［００４３］
いくつかの態様では、ＵＥ１２０および／または基地局１１０は、アップリンク−ダウンリンクＴＤＤ短縮送信時間間隔（ｓＴＴＩ）コンフィギュレーションを決定する手段と、初期通信の受信のために、アップリンク−ダウンリンクＴＤＤ  ｓＴＴＩコンフィギュレーション内の初期ｓＴＴＩを決定する手段と、初期通信の少なくとも１回の反復または再送信の受信のために、初期ｓＴＴＩに後続する１つ以上のｓＴＴＩを監視する手段と、および／または、これらに類するものとを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。追加的または代替的に、ＵＥ１２０および／または基地局１１０は、アップリンク−ダウンリンクＴＤＤ  ｓＴＴＩコンフィギュレーションを決定する手段と、初期通信の送信のために、アップリンク−ダウンリンクＴＤＤ  ｓＴＴＩコンフィギュレーション内の初期ｓＴＴＩを決定する手段と、初期ｓＴＴＩに後続する１つ以上のｓＴＴＩ中で、初期通信の少なくとも１回の反復または再送信を送信する手段と、および／または、これらに類するものとを含んでいてもよく、１つ以上のｓＴＴＩは、アップリンク−ダウンリンクＴＤＤ  ｓＴＴＩコンフィギュレーションに関係するパターンに少なくとも部分的に基づいて決定される。いくつかの態様では、このような手段は、図２に関連して説明したＵＥ１２０および／または基地局１１０のうちの１つ以上のコンポーネントを含んでいてもよい。
【００３９】
［００４４］
上述のように、図２は、例として提供されている。他の例は、図２に関して説明したものと異なっていてもよい。
【００４０】
［００４５］
図３は、本開示のさまざまな態様による、ワイヤレス通信ネットワークにおけるフレーム構造の例３００の例を示す図である。いくつかの態様では、フレームは、ダウンリンクフレームであってもよく、ワイヤレス通信ネットワークは、ＬＴＥであってもよい。
【００４１】
［００４６］
（例えば、１０ｍ秒の）フレームは、０〜９のインデックスを有する１０個の等しいサイズのサブフレームに分割されていてもよい。各サブフレームは、２つの連続するタイムスロットを含んでいてもよい。リソースグリッドを使用して、２つのタイムスロットを表しているかもしれず、各タイムスロットは、リソースブロック（ＲＢ）を含んでいる。リソースグリッドは、複数のリソース要素に分割されている。ＬＴＥでは、リソースブロックは、周波数ドメイン中で１２個の連続する副搬送波を含み、各ＯＦＤＭシンボル中の通常のサイクリックプレフィックスに対して、時間ドメイン中に７個の連続するＯＦＤＭシンボル、すなわち８４個のリソース要素を含んでいる。拡張サイクリックプレフィックスに対して、リソースブロックは、時間ドメイン中に６個の連続するＯＦＤＭシンボルを含み、７２個のリソース要素を有する。Ｒ３１０およびＲ３２０として示されているように、リソース要素のうちのいくつかは、ＤＬ基準信号（ＤＬ−ＲＳ）を含んでいる。ＤＬ−ＲＳは、セル特有ＲＳ（ＣＲＳ）（共通ＲＳと呼ばれることもある）３１０とＵＥ特有ＲＳ（ＵＥ−ＲＳ）３２０とを含んでいる。ＵＥ−ＲＳ３２０は、対応する物理ＤＬ共有チャネル（ＰＤＳＣＨ）がマッピングされるリソースブロック上でのみ送信される。各リソース要素により伝えられるビットの数は、変調スキームに依存する。したがって、ＵＥがさらに多くのリソースブロックを受信すると、ＵＥに対して、より高い変調スキームおよびより高いデータレートとなる。
【００４２】
［００４７］
ＬＴＥでは、ｅＮＢは、ｅＮＢ中の各セルに対して、１次同期信号（ＰＳＳ）および２次同期信号（ＳＳＳ）を送るかもしれない。１次同期信号および２次同期信号は、通常のサイクリックプレフィックス（ＣＰ）を有する各無線フレームのサブフレーム０および５のそれぞれにおけるシンボル期間６および５中で、それぞれ送られるかもしれない。同期信号は、セル検出および捕捉のためにＵＥにより使用されるかもしれない。ｅＮＢは、サブフレーム０のスロット１におけるシンボル期間０〜３中で、物理ブロードキャストチャネル（ＰＢＣＨ）を送るかもしれない。ＰＢＣＨは、あるシステム情報を伝えてもよい。
【００４３】
［００４８］
ｅＮＢは、各サブフレームの第１のシンボル期間において、物理制御フォーマットインジケータチャネル（ＰＣＦＩＣＨ）を送るかもしれない。ＰＣＦＩＣＨは、制御チャネルのために使用されるシンボル期間の数（Ｍ）を伝えてもよく、Ｍは、１、２または３に等しくてもよく、サブフレームごとに変化するかもしれない。Ｍはまた、例えば、１０個未満のリソースブロックを有する狭いシステム帯域幅に対しては、４に等しくてもよい。ｅＮＢは、各サブフレームの最初のＭ個のシンボル期間中に、物理ＨＡＲＱインジケータチャネル（ＰＨＩＣＨ）および物理ダウンリンク制御チャネル（ＰＤＣＣＨ）を送るかもしれない。ＰＨＩＣＨは、ハイブリッド自動再送要求（ＨＡＲＱ）をサポートするための情報を伝えるかもしれない。ＰＤＣＣＨは、ＵＥに対するリソース割り振りに関する情報と、ダウンリンクチャネルに対する制御情報とを伝えるかもしれない。ｅＮＢは、各サブフレームの残りのシンボル期間中に、物理ダウンリンク共有チャネル（ＰＤＳＣＨ）を送るかもしれない。ＰＤＳＣＨは、ダウンリンク上でのデータ送信のためにスケジュールされているＵＥに対するデータを伝えるかもしれない。
【００４４】
［００４９］
ｅＮＢは、ｅＮＢにより使用されるシステム帯域幅の中心１．０８ＭＨｚ中で、ＰＳＳ、ＳＳＳ、および、ＰＢＣＨを送るかもしれない。ｅＮＢは、これらのチャネルが送られる各シンボル期間において、システム帯域幅全体に渡ってＰＣＦＩＣＨおよびＰＨＩＣＨを送るかもしれない。ｅＮＢは、システム帯域幅のある部分において、ＵＥのグループにＰＤＣＣＨを送るかもしれない。ｅＮＢは、システム帯域幅の特定の部分において、特定のＵＥにＰＤＳＣＨを送るかもしれない。ｅＮＢは、すべてのＵＥに対して、ブロードキャスト方式で、ＰＳＳ、ＳＳＳ、ＰＢＣＨ、ＰＣＦＩＣＨ、および、ＰＨＩＣＨを送り、特定のＵＥに対して、ユニキャスト方式で、ＰＤＣＣＨを送り、特定のＵＥに対して、ユニキャスト方式で、ＰＤＳＣＨを送るかもしれない。
【００４５】
［００５０］
多数のリソース要素が、各シンボル期間において利用可能であるかもしれない。各リソース要素（ＲＥ）は、１つのシンボル期間中に１つの副搬送波をカバーしていてもよく、１つの変調シンボルを送るために使用してもよく、この１つの変調シンボルは、実数値または複素値であってもよい。各シンボル期間において基準信号に使用されないリソース要素は、リソース要素グループ（ＲＥＧ）中に配置されるかもしれない。各ＲＥＧは、１つのシンボル期間中に４つのリソース要素を含んでいるかもしれない。ＰＣＦＩＣＨは、シンボル期間０中で、周波数に渡ってほぼ等しく間隔を空けて配置されているかもしれない４つのＲＥＧを占有しているかもしれない。ＰＨＩＣＨは、１つ以上の構成可能シンボル期間中で、周波数に渡って拡散されているかもしれない３つのＲＥＧを占有しているかもしれない。例えば、ＰＨＩＣＨのための３つのＲＥＧはすべて、シンボル期間０に属しているかもしれないか、または、シンボル期間０、１および２において拡散されているかもしれない。ＰＤＣＣＨは、例えば、最初のＭ個のシンボル期間中で、利用可能なＲＥＧから選択されているかもしれない、９個、１８個、３６個、または、７２個のＲＥＧを占有しているかもしれない。ＲＥＧのある組み合わせだけが、ＰＤＣＣＨに対して許容されるかもしれない。
【００４６】
［００５１］
ＵＥは、ＰＨＩＣＨおよびＰＣＦＩＣＨに対して使用される特定のＲＥＧを知っているかもしれない。ＵＥは、ＰＤＣＣＨに対するＲＥＧの異なる組み合わせをサーチするかもしれない。サーチする組み合わせの数は、典型的には、ＰＤＣＣＨのための許容される組み合わせの数よりも少ない。ｅＮＢは、ＵＥがサーチする組み合わせの何れかにおいて、ＵＥにＰＤＣＣＨを送るかもしれない。
【００４７】
［００５２］
ＬＴＥでは、送信時間間隔（ＴＴＩ）は、１ｍ秒の持続時間を有するサブフレームと等価であってもよい。短縮送信時間間隔（ｓＴＴＩ）は、サブフレームの持続時間より短い時間間隔（例えば、１ｍ秒未満）であってもよい。例えば、ｓＴＴＩは、０．５ｍ秒の持続時間を有するスロットと等価であってもよい。いくつかの態様では、ｓＴＴＩは、サブフレームよりも短い任意の数のシンボル（例えば、１４シンボル未満、１２シンボル未満、および／または、これらに類するもの）のような、異なる持続時間を有していてもよい。
【００４８】
［００５３］
上述のように、図３は、例として提供されている。他の例は、図３に関して説明したものと異なっていてもよい。
【００４９】
［００５４］
図４は、本開示のさまざまな態様による、ＴＤＤワイヤレス通信システムにおける高信頼性低レイテンシ動作に関連する例４００を示す図である。
【００５０】
［００５５］
ＵＥ１２０および／または基地局１１０は、図４に示すような、０〜６のインデックスを有する７つの異なるコンフィギュレーションとして示されている、アップリンク−ダウンリンク（ＵＬ−ＤＬ）ＴＤＤ  ｓＴＴＩコンフィギュレーションを使用して通信するように構成されていてもよい。ＵＬ−ＤＬ  ＴＤＤ  ｓＴＴＩコンフィギュレーションは、（「Ｄ」として示される）ダウンリンク送信、（「Ｕ」として示される）アップリンク送信、および／または、（「ＳＵ」として示される）特殊アップリンク送信のために予約されている、無線フレーム中でのｓＴＴＩの配置を規定しているかもしれない。追加的にまたは代替的に、ＵＬ−ＤＬ  ＴＤＤ  ｓＴＴＩは、ダウンリンクｓＴＴＩ（例えば、「Ｄ」）からアップリンクｓＴＴＩ（例えば、「Ｕ」）に切り替えるためのスイッチポイント周期を規定しているかもしれない。図示するように、異なるＵＬ−ＤＬ  ＴＤＤ  ｓＴＴＩコンフィギュレーションは、無線フレームに渡ってアップリンクｓＴＴＩおよびダウンリンクｓＴＴＩの異なる割り振りを有していてもよく、アップリンク送信および／またはダウンリンク送信の予想される負荷に依存して、異なるアプリケーションおよび／またはネットワーク負荷条件に対して使用してもよい。いくつかの態様では、ＵＥ１２０と基地局１１０との間の通信のために使用されるＵＬ−ＤＬ  ＴＤＤ  ｓＴＴＩコンフィギュレーションは、動的におよび／または半静的にシグナリングされてもよく、シグナリングに少なくとも部分的に基づいて、変更されてもよい。
【００５１】
［００５６］
例４００では、ＵＬ−ＤＬ  ＴＤＤ  ｓＴＴＩコンフィギュレーションは、（例えば、１ｍ秒のサブフレームを有する）７つの予め規定されているＵＬ−ＤＬ  ＴＤＤサブフレームコンフィギュレーションから導出され、０．５ｍ秒のスロットベースのｓＴＴＩの例を示している。しかしながら、ここで説明するいくつかの技法および装置は、他の持続時間（例えば、２つのシンボル、３つのシンボル、および／または、これらに類するもの）を有するｓＴＴＩに適用してもよい。いくつかの態様では、アップリンク−ダウンリンクＴＤＤ  ｓＴＴＩコンフィギュレーションは、アップリンク−ダウンリンクＴＤＤ  ｓＴＴＩコンフィギュレーションに関係する搬送波のアップリンク−ダウンリンクＴＤＤサブフレームコンフィギュレーションに少なくとも部分的に基づいている。例えば、搬送波は、ＵＲＬＬＣのために使用されるｓＴＴＩとは異なるＴＴＩを有するアップリンク−ダウンリンクＴＤＤサブフレームコンフィギュレーションを使用してもよい。いくつかの態様では、アップリンク−ダウンリンクＴＤＤサブフレームコンフィギュレーションが、（例えば、ＳＩＢにおいて、および／または、これらに類するものにおいて）シグナリングされ、アップリンク−ダウンリンクＴＤＤ  ｓＴＴＩコンフィギュレーションは、アップリンク−ダウンリンクＴＤＤサブフレームコンフィギュレーションに少なくとも部分的に基づいて決定されてもよい。
【００５２】
［００５７］
いくつかの態様では、ＵＥ１２０および基地局１１０は、レイテンシ要件および／または信頼性要件（例えば、低レイテンシおよび／または高信頼性）に関係する低レイテンシモードおよび／または高信頼性モード（例えば、ＵＲＬＬＣモード）で通信しているかもしれない。例として、レイテンシおよび／または信頼性要件は、例えば、パケットが、１０ｍ秒のレイテンシおよび９９．９９９％の信頼性を有するエアインターフェースを介して配信されることを要求してもよく、これは、１０５個のパケットのうちの１個未満が、ＵＥ１２０と基地局１１０との間のエアインターフェースに渡って１０ｍ秒よりも大きいレイテンシで配信されることを可能にすることを意味する。いくつかの態様では、他のレイテンシおよび／または信頼性の要件を使用してもよい。
【００５３】
［００５８］
低レイテンシおよび高信頼性の要件を満たすために、送信デバイス（例えば、ＵＥ１２０、基地局１１０、および／または、これらに類するもの）は、初期送信を反復して、および／または、初期送信を再送信して、受信デバイス（例えば、ＵＥ１２０、基地局１１０、および／または、これらに類するもの）による受信の成功の可能性を増加させてもよい。しかしながら、このような反復および再送信は、（例えば、エアインターフェースの）ネットワークリソースおよび（例えば、ＵＥ１２０および／または基地局１１０の）処理リソースを使用し、ネットワーク輻輳、ネットワークリソースの非効率な使用、他の通信に対する高いレイテンシ、処理リソースの追加の使用、および／または、これらに類するものをもたらしているかもしれない。さらに、異なるＵＬ−ＤＬ  ＴＤＤ  ｓＴＴＩコンフィギュレーションは、無線フレームに渡って、アップリンクｓＴＴＩ、ダウンリンクｓＴＴＩ、および、特殊アップリンクｓＴＴＩの異なる割り振りを有するので、１つのＵＬ−ＤＬ  ＴＤＤ  ｓＴＴＩコンフィギュレーションにおいて低レイテンシおよび高信頼性を達成するために使用される反復および／または再送信スキームは、別のＵＬ−ＤＬ  ＴＤＤ  ｓＴＴＩコンフィギュレーションにおいて同じ結果を達成しないかもしれない。
【００５４】
［００５９］
ここで説明するいくつかの技法および装置は、さまざまなＵＬ−ＤＬ  ＴＤＤ  ｓＴＴＩコンフィギュレーションに渡って、低レイテンシおよび高信頼性通信を可能にする。さらに、ここで説明するいくつかの技法および装置は、低レイテンシおよび高信頼性を達成するために、ＵＬ−ＤＬ  ＴＤＤ  ｓＴＴＩコンフィギュレーションの異なるｓＴＴＩにおける初期送信を考慮に入れてもよく、異なるチャネル条件、および／または、これらに類するものを考慮に入れてもよい。さらに、ここで説明するいくつかの技法および装置は、（例えば、純粋な反復スキーム、純粋な再送信スキーム、および／または、これらに類するものと比較して）ネットワークリソースおよび／または処理リソースを節約する方法で、異なるＵＬ−ＤＬ  ＴＤＤ  ｓＴＴＩコンフィギュレーションにおける反復および／または再送信のコンフィギュレーションを可能にする。
【００５５】
［００６０］
上述のように、図４は、例として提供されている。他の例は、図４に関して説明したものと異なっていてもよい。
【００５６】
［００６１］
図５は、本開示のさまざまな態様による、ＴＤＤワイヤレス通信システムにおける高信頼性低レイテンシ動作に関連する例５００を示す図である。
【００５７】
［００６２］
図５に示されているように、送信デバイス５０５は、エアインターフェースを介して、受信デバイス５１０と通信していてもよい。いくつかの態様では、送信デバイス５０５は、基地局１１０、ＵＥ１２０、および／または、これらに類するものに対応していてもよい。追加的にまたは代替的に、受信デバイス５１０は、基地局１１０、ＵＥ１２０、および／または、これらに類するものに対応していてもよい。いくつかの態様では、送信デバイス５０５は、基地局１１０であり、受信デバイス５１０は、ＵＥ１２０である。いくつかの態様では、送信デバイス５０５は、ＵＥ１２０であり、受信デバイス５１０は、基地局１１０である。いくつかの態様では、送信デバイス５０５および受信デバイス５１０は両方とも、基地局１１０であるか、または、両方ともＵＥ１２０である。いくつかの態様では、送信デバイス５０５および受信デバイス５１０は、ＵＲＬＬＣモードおよび／またはこれらに類するもののような、低レイテンシモードおよび／または高信頼性モードで通信してもよい。追加的にまたは代替的に、送信デバイス５０５および受信デバイス５１０は、ｓＴＴＩを使用して通信してもよく、ＵＬ−ＤＬ  ＴＤＤ  ｓＴＴＩコンフィギュレーションを使用して、アップリンクｓＴＴＩ、ダウンリンクｓＴＴＩ、および／または、特殊ｓＴＴＩの分配を構成してもよい。
【００５８】
［００６３］
参照番号５１５により示されているように、送信デバイス５０５は、受信デバイス５１０と通信するために使用されるべきＵＬ−ＤＬ  ＴＤＤ  ｓＴＴＩコンフィギュレーションを決定してもよい。いくつかの態様では、ＵＬ−ＤＬ  ＴＤＤ  ｓＴＴＩコンフィギュレーションは、送信デバイス５０５と受信デバイス５１０との間でシグナリングされてもよい。例えば、基地局１１０は、ＵＬ−ＤＬ  ＴＤＤ  ｓＴＴＩコンフィギュレーションをＵＥ１２０に示してもよい。例えば、ＵＬ−ＤＬ  ＴＤＤ  ｓＴＴＩコンフィギュレーションは、システム情報ブロック（ＳＩＢ）、無線リソース制御（ＲＲＣ）コンフィギュレーションメッセージ、ダウンリンク制御情報（ＤＣＩ）、および／または、これらに類するものの中で示されてもよい。
【００５９】
［００６４］
参照番号５２０により示されているように、送信デバイス５０５は、初期通信の送信のために、ＵＬ−ＤＬ  ＴＤＤ  ｓＴＴＩコンフィギュレーション内の初期ｓＴＴＩを決定してもよい。初期通信は、特定の通信（例えば、データ、制御情報、および／または、これらに類するもの）の送信の最初のインスタンスを指していてもよく、それの後に、初期通信の１回以上の反復および／または１回以上の再送信が続いてもよい。初期ｓＴＴＩは、初期通信が送信されるｓＴＴＩを指していてもよい。例５００では、初期ｓＴＴＩは、ｓＴＴＩ２（例えば、ＵＬ−ＤＬ  ＴＤＤ  ｓＴＴＩコンフィギュレーション中の第３のｓＴＴＩ）である。いくつかの態様では、初期ｓＴＴＩは、ダウンリンク許可、アップリンク許可、および／または、これらに類するもののような、ＤＣＩ中で示されてもよい。例えば、基地局１１０は、（例えば、初期通信がダウンリンクｓＴＴＩにおいて送信されるダウンリンク通信であるとき）ダウンリンク許可において、（例えば、初期通信がアップリンクｓＴＴＩまたは特殊アップリンクｓＴＴＩにおいて送信されるアップリンク通信であるとき）アップリンク許可において、および／または、これらに類するものにおいて、ＵＥ１２０に対して初期ｓＴＴＩを示してもよい。送信デバイス５０５は、初期ｓＴＴＩ中で初期通信を送信してもよい。
【００６０】
［００６５］
参照番号５２５により示されているように、送信デバイス５０５は、初期ｓＴＴＩに後続する１つ以上のｓＴＴＩ中で、初期通信の少なくとも１回の反復または再送信を送信してもよい。例５００において、送信デバイス５０５は、ｓＴＴＩ６中で、初期通信に対応する否定応答（ＮＡＣＫ）を受信した後、ｓＴＴＩ１０中で、再送信を送信する。さらに、送信デバイス５０５は、ｓＴＴＩ１３中で１回とｓＴＴＩ１５中で１回の、初期通信の２回の反復を送信する。いくつかの態様では、本明細書の他の場所でより詳細に説明するように、少なくとも１回の反復または再送信のための１つ以上のｓＴＴＩは、ＵＬ−ＤＬ  ＴＤＤ  ｓＴＴＩコンフィギュレーションに関係するパターンに少なくとも部分的に基づいて決定される。いくつかの態様では、再送信は、ＮＡＣＫの受信が原因の、初期通信の追加の送信を指すことがある。いくつかの態様では、反復は、ＮＡＣＫの受信が原因でない、初期通信の追加の送信を指すことがある。
【００６１】
［００６６］
参照番号５３０により示されているように、受信デバイス５１０は、送信デバイス５０５と通信するために使用されるべきＵＬ−ＤＬ  ＴＤＤ  ｓＴＴＩコンフィギュレーションを決定してもよい。いくつかの態様では、参照番号５１５に関連して上記で説明したように、ＵＬ−ＤＬ  ＴＤＤ  ｓＴＴＩコンフィギュレーションは、送信デバイス５０５と受信デバイス５１０との間でシグナリングされてもよい。
【００６２】
［００６７］
参照番号５３５により示されているように、受信デバイス５１０は、初期通信の受信のために、ＵＬ−ＤＬ  ＴＤＤ  ｓＴＴＩコンフィギュレーション内の初期ｓＴＴＩを決定してもよい。いくつかの態様では、参照番号５２０に関連して上記で説明したように、初期ｓＴＴＩは、送信デバイス５０５と受信デバイス５１０との間でシグナリングされてもよい。受信デバイス５１０は、初期ｓＴＴＩ中で、初期通信を受信してもよい。いくつかの態様では、受信は成功するかもしれず、受信デバイス５１０は、初期通信に対応する肯定応答（ＡＣＫ）を送信してもよく、このケースでは、送信デバイス５０５がＡＣＫを受信した後、送信デバイス５０５は、何らの再送信または何らの追加の反復を送信しないかもしれない。いくつかの態様では、受信は不成功かもしれず、受信デバイス５１０は、初期通信に対応するＮＡＣＫを送信してもよく、このケースでは、送信デバイス５０５は、初期通信の再送信および／または追加の反復を送信するかもしれない。
【００６３】
［００６８］
参照番号５４０により示されているように、受信デバイス５１０は、初期通信の少なくとも１回の反復または再送信の受信のために、初期ｓＴＴＩに後続する１つ以上のｓＴＴＩを監視してもよい。例５００では、ｓＴＴＩ６中で、初期通信に対応するＮＡＣＫを送信した後、受信デバイス５１０は、初期通信の再送信のために、ｓＴＴＩ１０を監視する。さらに、（例えば、再送信が受信デバイス５１０により成功して受信されない場合には）受信デバイス５１０は、初期通信の反復のために、ｓＴＴＩ１３およびｓＴＴＩ１５を監視する。いくつかの態様では、少なくとも１回の反復または再送信のための１つ以上のｓＴＴＩは、ＵＬ−ＤＬ  ＴＤＤ  ｓＴＴＩコンフィギュレーションに関係するパターンに少なくとも部分的に基づいて決定される。
【００６４】
［００６９］
いくつかの態様では、送信デバイス５０５は、再送信が送信されるべき１つ以上のｓＴＴＩを示すパターン、反復が送信されるべき１つ以上のｓＴＴＩを示すパターン、および／または、これらに類するものに少なくとも部分的に基づいて、１つ以上のｓＴＴＩを決定してもよい。追加的にまたは代替的に、受信デバイス５１０は、再送信が受信されるべきである１つ以上のｓＴＴＩを示すパターン、反復が受信されるべき１つ以上のｓＴＴＩを示すパターン、および／または、これらに類するものに少なくとも部分的に基づいて、１つ以上のｓＴＴＩを決定してもよい。送信デバイス５０５および受信デバイス５１０は、送信デバイス５０５と受信デバイス５１０との間の通信を同期させるように、同じパターンを決定してもよい。
【００６５】
［００７０］
いくつかの態様では、パターンは、送信デバイス５０５および受信デバイス５１０により使用されているＵＬ−ＤＬ  ＴＤＤ  ｓＴＴＩコンフィギュレーションに少なくとも部分的に基づいて決定されてもよい。例えば、異なるＵＬ−ＤＬ  ＴＤＤ  ｓＴＴＩコンフィギュレーションは、無線フレームに渡る、ダウンリンクｓＴＴＩ、アップリンクｓＴＴＩ、および／または、特殊アップリンクｓＴＴＩの、異なる割り振りおよび／または異なる数が原因の、再送信および／または反復の異なる組み合わせを可能にするかもしれない。異なるＵＬ−ＤＬ  ＴＤＤ  ｓＴＴＩコンフィギュレーションに関係する例示的なパターンを、図６〜１０に関連して以下でより詳細に説明する。
【００６６】
［００７１］
追加的にまたは代替的に、パターンは、初期通信が送信および／または受信される、ＵＬ−ＤＬ  ＴＤＤ  ｓＴＴＩコンフィギュレーション内の初期ｓＴＴＩに少なくとも部分的に基づいて決定されてもよい。例えば、異なるＵＬ−ＤＬ  ＴＤＤ  ｓＴＴＩコンフィギュレーションは、初期ｓＴＴＩに続く、ダウンリンクｓＴＴＩ、アップリンクｓＴＴＩ、および／または、特殊アップリンクｓＴＴＩの異なるシーケンスが原因の、初期ｓＴＴＩに依存する再送信および／または反復の異なる組み合わせを可能にするかもしれない。異なる初期ｓＴＴＩに関係する例示的なパターンを、図６〜１０に関連して以下でより詳細に説明する。
【００６７】
［００７２］
追加的にまたは代替的に、パターンは、送信デバイス５０５および受信デバイス５１０が通信しているチャネルに関係するチャネル品質情報に少なくとも部分的に基づいて決定されてもよい。例えば、チャネル品質が低いとき、より多くの回数の反復が送信および／または監視されてもよく、チャネル品質が高いとき、より少ない回数の反復が送信および／または監視されてもよい。いくつかの態様では、チャネル品質情報は、チャネル状態情報（ＣＳＩ）基準信号（ＣＳＩ−ＲＳ）、サウンディング基準信号（ＳＲＳ）、および／または、これらに類するもののような、基準信号を使用して、送信デバイス５０５と受信デバイス５１０との間で示されてもよい。異なるＵＬ−ＤＬ  ＴＤＤ  ｓＴＴＩコンフィギュレーションは、無線フレームに渡る、ダウンリンクｓＴＴＩ、アップリンクｓＴＴＩ、および／または、特殊アップリンクｓＴＴＩの異なる数が原因の、それとともに、初期ｓＴＴＩに続く、ダウンリンクｓＴＴＩ、アップリンクｓＴＴＩ、および／または、特殊アップリンクｓＴＴＩの、異なる割り振りおよび／または異なるシーケンスが原因の、異なる回数の反復を可能にするかもしれない。
【００６８】
［００７３］
いくつかの態様では、パターンは、送信デバイス５０５および／または受信デバイス５１０のメモリ中にハードコーディングされていてもよい。例えば、送信デバイス５０５および／または受信デバイス５１０は、ＵＬ−ＤＬ  ＴＤＤ  ｓＴＴＩコンフィギュレーション、ＵＬ−ＤＬ  ＴＤＤ  ｓＴＴＩコンフィギュレーション内の初期ｓＴＴＩ、チャネル品質情報、および／または、これらに類するもののために使用されるべきパターンを示す、テーブルまたは他のデータ構造を記憶していてもよい。このケースでは、送信デバイス５０５および／または受信デバイス５１０は、ＵＬ−ＤＬ  ＴＤＤ  ｓＴＴＩコンフィギュレーション、ＵＬ−ＤＬ  ＴＤＤ  ｓＴＴＩコンフィギュレーション内の初期ｓＴＴＩ、チャネル品質情報、および／または、これらに類するもののうちの１つ以上を使用して、パターンをルックアップしてもよい。いくつかの態様では、送信デバイス５０５および受信デバイス５１０は、通信を同期させることができるように、同じテーブルを記憶していてもよい。
【００６９】
［００７４］
追加的にまたは代替的に、パターンは、送信デバイス５０５と受信デバイス５１０との間で示されてもよい。いくつかの態様では、パターンは、ＲＲＣコンフィギュレーションメッセージ中、ＤＣＩ中、および／または、これらに類するものの中で示されてもよい。例えば、基地局１１０は、ＲＲＣコンフィギュレーションメッセージ、ＤＣＩ、および／または、これらに類するものを使用するなどして、ＵＥ１２０にパターンを示してもよい。このようにして、パターンは、半静的にまたは動的に示されてもよい。いくつかの態様では、第１のパターンは、送信デバイス５０５および／または受信デバイス５１０のメモリ中でハードコーディングされていてもよく、送信デバイス５０５と受信デバイス５１０との間に示される第２のパターンを使用してオーバーライドされてもよい。追加的にまたは代替的に、パターンは、拡張干渉緩和およびトラフィック適応（ｅＩＭＴＡ）に関係する、１つ以上のアンカーｓＴＴＩ（例えば、アップリンクｓＴＴＩまたはダウンリンクｓＴＴＩとして、動的に再コンフィギュレーション可能でないｓＴＴＩ）、および／または、１つ以上の非アンカーｓＴＴＩ（例えば、ＤＣＩを使用することによるような、アップリンクｓＴＴＩまたはダウンリンクｓＴＴＩとして、動的に再コンフィギュレーション可能なｓＴＴＩ）の決定に少なくとも部分的に基づいて決定されてもよい。
【００７０】
［００７５］
いくつかの態様では、パターンは、レイテンシ要件および／または信頼性要件の満足を可能にするように設計されていてもよい。例えば、パターンは、ＵＲＬＬＣ要件の満足を可能にするように設計されていてもよい。具体的な例として、レイテンシ要件および／または信頼性要件は、例えば、通信（例えば、３２バイトおよび／またはこれに類するものなどのような、特定サイズのパケット）が、（例えば、エアインターフェースを介して）送信デバイス５０５と受信デバイス５１０との間で１０ｍ秒以下のレイテンシで、かつ、９９．９９９％以上の信頼性で配信されることを要求してもよく、これは、１０５の通信のうちの１つ未満の通信が、１０ｍ秒よりも大きいレイテンシで配信されることを可能にすることを意味する。いくつかの態様では、パターンは、特定の数のｓＴＴＩ（例えば、１０ｍ秒に対応する２０個のｓＴＴＩ、および／または、これらに類するもの）に関連するレイテンシ要件の満足を可能にするように設計されていてもよい。
【００７１】
［００７６］
いくつかの態様では、ＵＬ−ＤＬ  ＴＤＤ  ｓＴＴＩコンフィギュレーションは、レイテンシ要件および／または信頼性要件の満足を可能にする反復機会のしきい値数を含んでいてもよい。追加的にまたは代替的に、ＵＬ−ＤＬ  ＴＤＤ  ｓＴＴＩコンフィギュレーションは、レイテンシ要件および／または信頼性要件を満たす再送信タイミング（例えば、ｓＴＴＩの数）を可能にするｓＴＴＩ割り振り（例えば、ダウンリンクｓＴＴＩ、アップリンクｓＴＴＩ、および／または、特殊アップリンクｓＴＴＩの割り振り）を含んでいてもよい。再送信タイミングは、例えば、通信の受信または送信と、通信に対応する肯定応答または否定応答（ＡＣＫ／ＮＡＣＫ）の送信または受信との間のＡＣＫ／ＮＡＣＫフィードバックタイミング、初期通信の送信または受信と、再送信に対する最初の利用可能なｓＴＴＩとの間のタイミング、ＡＣＫ／ＮＡＣＫフィードバックの送信または受信と、再送信に対する最初の利用可能なｓＴＴＩとの間のタイミング、ならびに／あるいは、これらに類するものを含んでいてもよい。
【００７２】
［００７７］
レイテンシ要件および／または信頼性要件の満足を可能にするために、いくつかのＵＬ−ＤＬ  ＴＤＤ  ｓＴＴＩコンフィギュレーション（例えば、図４に示す１つ以上のＵＬ−ＤＬ  ｓＴＴＩコンフィギュレーション）は、送信デバイス５０５および受信デバイス５１０が低レイテンシモードおよび／または高信頼性モード（例えば、ＵＲＬＬＣモード）で動作しているときには、除外されるかもしれない。例えば、反復機会のしきい値数を含まない、および／または、しきい値を満たす再送信タイミングを可能にしない、ＵＬ−ＤＬ  ｓＴＴＩコンフィギュレーションは、ＵＲＬＬＣにおける使用から除外されるかもしれない。
【００７３】
［００７８］
ＵＬ−ＤＬ  ＴＤＤ  ｓＴＴＩコンフィギュレーション、初期ｓＴＴＩ、および／または、チャネル品質情報の組み合わせに少なくとも部分的に基づいている異なるパターンを使用することにより、送信デバイス５０５および受信デバイス５１０は、低レイテンシ要件および／または高信頼要件が、さまざまな通信シナリオにおいて確実に満たされるようにしてもよい。このようにして、レイテンシが低減されてもよく、信頼性が改善されてもよく、リソース（例えば、ネットワークリソース、処理リソース、および／または、これらに類するもの）が効率的に使用されてもよい。
【００７４】
［００７９］
上述のように、図５は、例として提供されている。他の例は、図５に関して説明したものと異なっていてもよい。
【００７５】
［００８０］
図６は、本開示のさまざまな態様による、ＴＤＤワイヤレス通信システムにおける高信頼性低レイテンシ動作に関連する例６００を示す図である。
【００７６】
［００８１］
図６は、図４に示すような、５のインデックスを有する例示的なＵＬ−ＤＬ  ＴＤＤ  ｓＴＴＩコンフィギュレーション（以下では、ｓＴＴＩコンフィギュレーションと呼ばれることがある）のために使用してもよい反復および／または再送信の例示的なパターンを示している。図６において、初期通信ならびに反復および／または再送信は、アップリンク通信である。このｓＴＴＩコンフィギュレーションでは、ダウンリンクｓＴＴＩの重い割り振りが原因で、アップリンク通信は、レイテンシ要件および／または信頼性要件を満たす再送信タイミングで再送信することができない。
【００７７】
［００８２］
例えば、ｓＴＴＩ４中で送信される初期アップリンク通信は、ＡＣＫ／ＮＡＣＫフィードバックタイミングが４個のｓＴＴＩおよび／または４ｍ秒（例えば、ＬＴＥにおける４個のＴＴＩ）であるとき、ｓＴＴＩ８中で肯定応答（ＡＣＫ）または否定応答（ＮＡＣＫ）されるかもしれない。しかしながら、ＡＣＫ／ＮＡＣＫフィードバックの受信後、アップリンク通信のための次の利用可能な再送信機会は、次のフレームのｓＴＴＩ３またはｓＴＴＩ４の何れかまで、ないであろう（例えば、アップリンク通信のサイズがしきい値未満である場合、ｓＴＴＩ３のような特殊アップリンクｓＴＴＩをアップリンク通信のために使用してもよい）。このケースでは、再送信は、しきい値時間（例えば、１０ｍ秒）および／またはｓＴＴＩのしきい値数（例えば、２０個のｓＴＴＩ）を満たすレイテンシで実行できない。
【００７８】
［００８３］
このケースでは、アップリンク−ダウンリンクＴＤＤ  ｓＴＴＩコンフィギュレーションが、レイテンシ要件または信頼性要件（例えば、１０ｍ秒のレイテンシ要件および／またはこれに類するもの）のうちの少なくとも１つを満たす再送信タイミングを可能にしないとき、示されているように、このパターンは、１回以上の反復を含み、再送信を含まないかもしれない。例えば、（例えば、５のインデックスを有する）このｓＴＴＩコンフィギュレーションにおけるｓＴＴＩ４中で初期通信が生じるとき、パターンは、ｓＴＴＩ５中での反復を示しているかもしれない。このケースでは、（例えば、ｓＴＴＩコンフィギュレーションと初期ｓＴＴＩとに関係する）パターンに少なくとも部分的に基づいて、送信デバイス５０５は、ｓＴＴＩ５中で反復を送信してもよく、受信デバイス５１０は、ｓＴＴＩ５中での反復を監視してもよい。このようにして、レイテンシ要件および／または信頼性要件（例えば、ＵＲＬＬＣ要件）を満たす可能性を増加させてもよい。
【００７９】
［００８４］
いくつかの態様では、図４に示すような、５のインデックスを有するＵＬ−ＤＬ  ＴＤＤ  ｓＴＴＩコンフィギュレーションは、送信デバイス５０５および受信デバイス５１０が低レイテンシモードおよび／または高信頼性モード（例えば、ＵＲＬＬＣモード）で動作しているとき、送信デバイス５０５および受信デバイス５１０による使用から除外されてもよい。例えば、このｓＴＴＩコンフィギュレーションは、反復機会のしきい値数を含まないことから（例えば、３未満のアップリンク反復機会を含む、２未満のアップリンク反復機会を含む、および／または、これらに類するもの）、このｓＴＴＩコンフィギュレーションは使用から除外されるかもしれない。追加的にまたは代替的に、このｓＴＴＩコンフィギュレーションは、しきい値（例えば、１０ｍ秒）を満たす再送信タイミングを可能にするｓＴＴＩ割り振りを含まないことから、このｓＴＴＩコンフィギュレーションは使用から除外されるかもしれない。このようにして、レイテンシ要件および／または信頼性要件の満足を可能にしない、または、レイテンシ要件および／または信頼性要件を満たす可能性が低い、ｓＴＴＩコンフィギュレーションを除外することにより、レイテンシ要件および／または信頼性要件を満たす可能性を増加させてもよい。
【００８０】
［００８５］
上述のように、図６は、例として提供されている。他の例は、図６に関して説明したものと異なっていてもよい。
【００８１】
［００８６］
図７は、本開示のさまざまな態様による、ＴＤＤワイヤレス通信システムにおける高信頼性低レイテンシ動作に関連する例７００を示す図である。
【００８２】
［００８７］
図７は、図４に示すような、５のインデックスを有する例示的なＵＬ−ＤＬ  ＴＤＤ  ｓＴＴＩコンフィギュレーションのために使用してもよい反復および／または再送信の別の例示的なパターンを示している。図７において、初期通信ならびに反復および／または再送信は、ダウンリンク通信である。このｓＴＴＩコンフィギュレーションでは、ｓＴＴＩ５後のダウンリンクｓＴＴＩのみの割り振りが原因で、ｓＴＴＩ５の後に送信される初期通信の再送信は、レイテンシ要件および／または信頼性要件を満たす再送信タイミングで送信することができない。
【００８３】
［００８８］
例えば、ｓＴＴＩ５の後に送信される初期ダウンリンク通信に対応するＡＣＫ／ＮＡＣＫフィードバックは、続くフレーム中の少なくともｓＴＴＩ３（例えば、初期ダウンリンク通信後の次のアップリンク機会）まで送信することができず、対応する再送信は、続くフレーム中のｓＴＴＩ６（例えば、ＡＣＫ／ＮＡＣＫフィードバック後の次のダウンリンク機会）まで生じ得ないだろう。このケースでは、送信デバイス５０５は、しきい値時間（例えば、１０ｍ秒）および／またはｓＴＴＩのしきい値数（例えば、２０個のｓＴＴＩ）を満たすレイテンシで再送信を実行できないかもしれない。
【００８４】
［００８９］
図６に関連して上記で示したように、ｓＴＴＩコンフィギュレーションが、レイテンシ要件または信頼性要件（例えば、１０ｍ秒レイテンシ要件および／またはこれに類するもの）のうちの少なくとも１つを満たす再送信タイミングを可能にしないとき、示しているように、このパターンは、１回以上の反復を含み、再送信を含まないかもしれない。例えば、（例えば、５のインデックスを有する）このｓＴＴＩコンフィギュレーションにおけるｓＴＴＩ６中で初期通信が生じるとき、パターンは、ｓＴＴＩ８、９および１３中での反復を示しているかもしれない。このケースでは、送信デバイス５０５は、ｓＴＴＩ８、９および１３中で反復を送信してもよく、受信デバイス５１０は、（例えば、ｓＴＴＩコンフィギュレーションと初期ｓＴＴＩとに関係する）パターンに少なくとも部分的に基づいて、ｓＴＴＩ８、９および１３中での反復を監視してもよい。このようにして、レイテンシ要件および／または信頼性要件（例えば、ＵＲＬＬＣ要件）を満たす可能性を増加させてもよい。
【００８５】
［００９０］
示されていないが、いくつかの態様では、パターン中で示されている１回以上の反復のうちの最後の反復は、最後の反復に対応するＡＣＫ／ＮＡＣＫフィードバックの送信に対する特定されているタイミングを満たす。例えば、ＬＴＥでは、特定されているタイミングは、４ｓＴＴＩであってもよい。このケースでは、最後の反復は、ｓＴＴＩ１９中で送信されていてもよく、その結果、最後の反復に対応するＡＣＫ／ＮＡＣＫフィードバックは、ｓＴＴＩ３（例えば、４個のｓＴＴＩ後）中で生じる。このようにして、ＡＣＫ／ＮＡＣＫタイミング要件が満たされるかもしれない。さらに、（例えば、他の反復のためではなく）最後の反復のためにのみＡＣＫ／ＮＡＣＫフィードバックを送信することにより、ネットワークリソースは、節約されるかもしれない。
【００８６】
［００９１］
いくつかの態様では、パターンは、初期通信に関係する反復の回数（例えば、Ｎ）に少なくとも部分的に基づいて決定される。いくつかの態様では、反復の回数は、ＣＳＩ−ＲＳ、ＳＲＳ、および／または、これらに類するものにより示されるチャネル品質情報のような、チャネル品質情報に少なくとも部分的に基づいて決定されてもよい。いくつかの態様では、反復の回数は、ＲＲＣコンフィギュレーションメッセージ中、ＤＣＩ中、および／または、これらに類するもの中で示されてもよい。例えば、初期通信のための許可が、反復の回数を示しているかもしれない。追加的にまたは代替的に、反復の回数は、送信デバイス５０５および／または受信デバイス５１０に関係する負荷（例えば、基地局１１０に関係する負荷）に少なくとも部分的に基づいて決定されてもよい。このようにして、パターンは、異なるｓＴＴＩコンフィギュレーション、異なる初期ｓＴＴＩ、異なるチャネル条件、異なる基地局負荷、および／または、これらに類するものに適合されてもよい。
【００８７】
［００９２］
上述のように、図７は、例として提供されている。他の例は、図７に関して説明したものと異なっていてもよい。
【００８８】
［００９３］
図８は、本開示のさまざまな態様による、ＴＤＤワイヤレス通信システムにおける高信頼性低レイテンシ動作に関連する例８００を示す図である。
【００８９】
［００９４］
図８は、図４に示すような、６のインデックスを有する例示的なＵＬ−ＤＬ  ＴＤＤ  ｓＴＴＩコンフィギュレーションのために使用してもよい反復および／または再送信の例示的なパターンを示している。図８において、初期通信ならびに反復および／または再送信は、ダウンリンク通信である。このｓＴＴＩコンフィギュレーションでは、アップリンクｓＴＴＩおよびダウンリンクｓＴＴＩの割り振りおよび間隔が原因で、（例えば、反復を使用することなく）初期通信の再送信のみを使用して、レイテンシ要件および／または信頼性要件が満たされるかもしれない。
【００９０】
［００９５］
例えば、図示するように、ｓＴＴＩ２中で送信される初期通信は、ｓＴＴＩ６中で肯定応答または否定応答されるかもしれず、初期通信が否定応答される場合、ｓＴＴＩ１０中で再送信が送信されるかもしれない。ｓＴＴＩ１０中での再送信は、ｓＴＴＩ１４中で肯定応答または否定応答されるかもしれず、ｓＴＴＩ１０での再送信が否定応答される場合、別の再送信がｓＴＴＩ１８中で送信されるかもしれない。このケースでは、ＡＣＫ／ＮＡＣＫおよび／または再送信の機会の数は、レイテンシ要件および／または信頼性要件を満たすのに十分かもしれない。
【００９１】
［００９６］
いくつかの態様では、ｓＴＴＩコンフィギュレーションが、ＡＣＫ／ＮＡＣＫフィードバックの送信に対する、および／または、対応する再送信に対する機会のしきい値数（例えば、２つの機会、３つの機会、および／または、これに類するもの）を含むとき、このパターンは、示されているように、１回以上の再送信を含み、反復を含まないかもしれない。例えば、（例えば、６のインデックスを有する）このｓＴＴＩコンフィギュレーションにおいてｓＴＴＩ２中で初期通信が生じるとき、パターンは、ｓＴＴＩ１０および１８中での再送信（例えば、これは、前の送信のＮＡＣＫのケースで送信される）を示しているかもしれない。このケースでは、ｓＴＴＩ２中の初期通信が否定応答される場合、送信デバイス５０５は、ｓＴＴＩ１０中で再送信を送信し、受信デバイス５１０は、ｓＴＴＩ１０中の再送信を監視してもよい。同様に、ｓＴＴＩ１０中の再送信が否定応答される場合、送信デバイス５０５は、ｓＴＴＩ１８中で再送信を送信し、受信デバイス５１０は、ｓＴＴＩ１８中の再送信を監視してもよい。このようにして、レイテンシ要件および／または信頼性要件（例えば、ＵＲＬＬＣ要件）を満たす可能性を増加させながら、（例えば、不必要な反復を送信しないことにより）リソースも節約させることができる。
【００９２】
［００９７］
いくつかの態様では、チャネル品質情報により示されるチャネル品質がしきい値を満たす場合、図８に示されているように、パターンは、１回以上の再送信を含み、反復を含まないかもしれない。逆に、チャネル品質がしきい値を満たさない場合、１回以上の再送信に加えて、１回以上の反復がパターン中に含まれるかもしれない。このようにして、動的チャネル条件に対して、レイテンシ要件および／または信頼性要件を満たす可能性を増加させながら、依然としてネットワークリソースを節約することができる。
【００９３】
［００９８］
上述のように、図８は、例として提供されている。他の例は、図８に関して説明したものと異なっていてもよい。
【００９４】
［００９９］
図９は、本開示のさまざまな態様による、ＴＤＤワイヤレス通信システムにおける高信頼性低レイテンシ動作に関連する例９００を示す図である。
【００９５】
［００１００］
図９は、図４に示すような、４のインデックスを有する例示的なＵＬ−ＤＬ  ＴＤＤ  ｓＴＴＩコンフィギュレーションのために使用してもよい反復および／または再送信の例示的なパターンを示している。図９において、初期通信ならびに反復および／または再送信は、ダウンリンク通信である。このｓＴＴＩコンフィギュレーションでは、アップリンクｓＴＴＩおよびダウンリンクｓＴＴＩの割り振りおよび間隔が原因で、レイテンシ要件および／または信頼性要件は、初期通信の１回以上の再送信と１回以上の反復の両方を使用して満たされるかもしれない。
【００９６】
［００１０１］
例えば、図示するように、ｓＴＴＩ２中で送信される初期通信は、ｓＴＴＩ６中で肯定応答または否定応答されるかもしれず、初期通信が否定応答される場合、ｓＴＴＩ１０中で再送信が送信されるかもしれない。ｓＴＴＩ１０中の再送信はまた、ｓＴＴＩ１３および１５中で反復として繰り返されてもよい。このケースでは、ＡＣＫ／ＮＡＣＫおよび／または再送信の機会の数は、第１のしきい値（例えば、１）を満たすかもしれないが、第２のしきい値（例えば、２）を満たさないかもしれない。
【００９７】
［００１０２］
いくつかの態様では、ｓＴＴＩコンフィギュレーションが、第１のしきい値を満たすが、第２のしきい値を満たさない、ＡＣＫ／ＮＡＣＫフィードバックの送信に対するおよび／または対応する再送信に対する機会の数を含むとき、パターンは、１回以上の再送信と１回以上の反復とを含んでいてもよい。図示するように、いくつかの態様では、パターンは、１回以上の反復が続く再送信（または、複数の再送信）を含んでいてもよい。例えば、（例えば、４のインデックスを有する）このｓＴＴＩコンフィギュレーションにおいて、ｓＴＴＩ２中で初期通信が生じるとき、パターンは、ｓＴＴＩ１０中の再送信ならびにｓＴＴＩ１３およびｓＴＴＩ１５中の反復を示しているかもしれない。このケースでは、ｓＴＴＩ２中の初期通信が否定応答される場合、送信デバイス５０５は、ｓＴＴＩ１０中の再送信ならびにｓＴＴＩ１３およびｓＴＴＩ１５中の反復を送信してもよく、受信デバイス５１０は、ｓＴＴＩ１０中の再送信ならびにｓＴＴＩ１３およびｓＴＴＩ１５中の反復を監視してもよい。このようにして、レイテンシ要件および／または信頼性要件（例えば、ＵＲＬＬＣ要件）を満たす可能性を増加させることができる。
【００９８】
［００１０３］
いくつかの態様では、パターンが、１回以上の反復が続く再送信を含むとき、１回以上の反復の回数は、初期通信に対応するＮＡＣＫの送信に関連して受信デバイス５１０により報告されるチャネル品質情報に少なくとも部分的に基づいて決定されてもよい。例えば、ｓＴＴＩ６中でＮＡＣＫを送信するとき、受信デバイス５１０はまた、ＣＳＩとして示される、チャネル品質情報を報告するかもしれない。送信デバイス５０５および受信デバイス５１０は、チャネル品質情報を使用して、反復の回数と、反復の回数に対する対応するパターンとを決定してもよい。このようにして、パターンを動的チャネル条件に適合させて、レイテンシ要件および／または信頼性要件を満たす可能性を増加させながら、ネットワークリソースを節約することができる。
【００９９】
［００１０４］
上述のように、図９は、例として提供されている。他の例は、図９に関して説明したものと異なっていてもよい。
【０１００】
［００１０５］
図１０は、本開示のさまざまな態様による、ＴＤＤワイヤレス通信システムにおける高信頼性低レイテンシ動作に関連する例１０００を示す図である。
【０１０１】
［００１０６］
図１０は、図４に示すような、４のインデックスを有する例示的なＵＬ−ＤＬ  ＴＤＤ  ｓＴＴＩコンフィギュレーションのために使用してもよい反復および／または再送信の別の例示的なパターンを示している。図１０において、初期通信ならびに反復および／または再送信は、ダウンリンク通信である。このｓＴＴＩコンフィギュレーションでは、アップリンクｓＴＴＩおよびダウンリンクｓＴＴＩの割り振りおよび間隔が原因で、レイテンシ要件および／または信頼性要件は、初期通信の１回以上の再送信と１回以上の反復の両方を使用して満たされるかもしれない。
【０１０２】
［００１０７］
例えば、示されているように、ｓＴＴＩ１中で送信される初期通信は、ｓＴＴＩ２中の反復として繰り返されるかもしれない。いくつかの態様では、ｓＴＴＩ１中の初期通信に対するＡＣＫ／ＮＡＣＫフィードバックは、ｓＴＴＩ５中で送信されてもよく、ｓＴＴＩ２中の反復に対するＡＣＫ／ＮＡＣＫフィードバックは、ｓＴＴＩ６中で送信されるかもしれない。さらに示されているように、ｓＴＴＩ１中の初期通信およびｓＴＴＩ２中の反復の両方が否定応答される場合、ｓＴＴＩ１０中で再送信が送信されてもよい。いくつかの態様では、ｓＴＴＩ１０中の再送信は、図９に関連して上記で説明したのと同様の方法で、ｓＴＴＩ１３および１５中で反復として繰り返されるかもしれない。このケースでは、ＡＣＫ／ＮＡＣＫおよび／または再送信の機会の数は、第１のしきい値（例えば、１）を満たすかもしれないが、第２のしきい値（例えば、２）は満たさないかもしれない。
【０１０３】
［００１０８］
いくつかの態様では、図９に関連して上述したように、ｓＴＴＩコンフィギュレーションが、第１のしきい値を満たすが、第２のしきい値を満たさない、ＡＣＫ／ＮＡＣＫフィードバックの送信に対するおよび／または対応する再送信の送信に対する機会の数を含むとき、パターンは、１回以上の再送信と１回以上の反復とを含んでいてもよい。示されているように、いくつかの態様では、パターンは、（いくつかの態様では、１回以上の追加の反復が続くかもしれない）１回以上の再送信が続く１回以上の反復を含んでいてもよい。例えば、（例えば、４のインデックスを有する）このｓＴＴＩコンフィギュレーションにおいてｓＴＴＩ１中で初期通信が生じるとき、パターンは、ｓＴＴＩ２中の反復、ｓＴＴＩ１０中の再送信、ならびに、ｓＴＴＩ１３およびｓＴＴＩ１５中の反復を示してもよい。このケースでは、送信デバイス５０５は、ｓＴＴＩ２中で反復を送信してもよく、受信デバイス５１０は、ｓＴＴＩ２中での反復を監視してもよい。ｓＴＴＩ１中の初期通信およびｓＴＴＩ２中の反復が両方とも否定応答される場合、送信デバイス５０５は、ｓＴＴＩ１０中で再送信ならびにｓＴＴＩ１３およびｓＴＴＩ１５中で反復を送信してもよく、受信デバイス５１０は、ｓＴＴＩ１０中で再送信ならびにｓＴＴＩ１３およびｓＴＴＩ１５中で反復を監視してもよい。このようにして、レイテンシ要件および／または信頼性要件（例えば、ＵＲＬＬＣ要件）を満たす可能性を増加させることができる。
【０１０４】
［００１０９］
いくつかの態様では、パターンが、１回以上の再送信が続く１回以上の反復を含むとき、受信デバイス５１０は、１回以上の反復のうちの最後の反復に対応するＮＡＣＫの送信に関連して、チャネル品質情報を報告するかもしれない。例えば、示されているように、初期通信にはＡＣＫ／ＮＡＣＫ機会より前に反復が続くことから、受信デバイス５１０は、ｓＴＴＩ１中の初期通信に対応し、チャネル品質情報（例えば、ＣＳＩ）を含まない、ＮＡＣＫをｓＴＴＩ５中で送信するかもしれない。しかしながら、受信デバイス５１０は、ｓＴＴＩ２中の反復（例えば、ＡＣＫ／ＮＡＣＫ機会の前の最後の反復）に対応し、ＣＳＩのようなチャネル品質情報を含む、ＮＡＣＫをｓＴＴＩ６中で送信するかもしれない。いくつかの態様では、受信デバイス５１０は、初期通信およびすべての前の反復も否定応答されているとの決定に少なくとも部分的に基づいて、最後の反復に対応するＮＡＣＫに関連して、チャネル品質情報を送信するかもしれない。このようにして、ある条件でのみチャネル品質情報を送信することにより、ネットワークリソースと処理リソースを節約することができる。
【０１０５】
［００１１０］
いくつかの態様では、再送信に後続する１回以上の追加の反復の回数は、（例えば、再送信の前に送信および／または受信される１回以上の反復のうちの最後の反復に対応するＮＡＣＫの送信に関連して）受信デバイス５１０により報告されるチャネル品質情報に少なくとも部分的に基づいて決定されてもよい。例えば、ｓＴＴＩ６中でＮＡＣＫを送信するとき、受信デバイス５１０はまた、ＣＳＩとして示されるチャネル品質情報を報告してもよい。送信デバイス５０５および受信デバイス５１０は、チャネル品質情報を使用して、反復の回数と、反復の回数に対する対応するパターンとを決定してもよい。このようにして、パターンを動的チャネル条件に適合させて、レイテンシ要件および／または信頼性要件を満たす可能性を増加させながら、ネットワークリソースを節約することができる。
【０１０６】
［００１１１］
上述のように、図１０は、例として提供されている。他の例は、図１０に関して説明したものと異なっていてもよい。
【０１０７】
［００１１２］
図１１は、本開示のさまざまな態様による、例えば受信デバイスにより実行される例示的なプロセス１１００を示す図である。例示的なプロセス１１００は、受信デバイス（例えば、受信デバイス５１０、ＵＥ１２０、基地局１１０、および／または、これらに類するもの）が、ＴＤＤワイヤレス通信システムにおいて高信頼性低レイテンシ動作を実行する例である。
【０１０８】
［００１１３］
図１１に示されているように、いくつかの態様では、プロセス１１００は、アップリンク−ダウンリンクＴＤＤ  ｓＴＴＩコンフィギュレーションを決定することを含んでいてもよい（ブロック１１１０）。例えば、図４〜１０に関連して上記で説明したように、受信デバイスは、（例えば、制御装置／プロセッサ２４０、制御装置／プロセッサ２８０、および／または、これらに類するものを使用して）アップリンク−ダウンリンクＴＤＤ  ｓＴＴＩコンフィギュレーションを決定してもよい。
【０１０９】
［００１１４］
図１１にさらに示されているように、いくつかの態様では、プロセス１１００は、初期通信の受信のために、アップリンク−ダウンリンクＴＤＤ  ｓＴＴＩコンフィギュレーション内の初期ｓＴＴＩを決定することを含んでいてもよい（ブロック１１２０）。例えば、図４〜１０に関連して上記で説明したように、受信デバイスは、初期通信の受信のために、（例えば、制御装置／プロセッサ２４０、制御装置／プロセッサ２８０、および／または、これらに類するものを使用して）アップリンク−ダウンリンクＴＤＤ  ｓＴＴＩコンフィギュレーション内の初期ｓＴＴＩを決定してもよい。
【０１１０】
［００１１５］
図１１にさらに示すように、いくつかの態様では、プロセス１１００は、初期通信の少なくとも１回の反復または再送信の受信のために、初期ｓＴＴＩに後続する１つ以上のｓＴＴＩを監視することを含んでいてもよく、１つ以上のｓＴＴＩは、アップリンク−ダウンリンクＴＤＤ  ｓＴＴＩコンフィギュレーションに関係するパターンに少なくとも部分的に基づいて決定される（ブロック１１３０）。例えば、受信デバイスは、図４〜１０に関連して上記で説明したように、初期通信の少なくとも１回の反復または再送信の受信のために、（例えば、アンテナ２３４、ＤＥＭＯＤ２３２、ＭＩＭＯ検出器２３６、受信プロセッサ２３８、制御装置／プロセッサ２４０、アンテナ２５２、ＤＥＭＯＤ２５４、ＭＩＭＯ検出器２５６、受信プロセッサ２５８、制御装置／プロセッサ２８０、および／または、これらに類するものを使用して）初期ｓＴＴＩに後続する１つ以上のｓＴＴＩを監視してもよい。いくつかの態様では、図４〜１０に関連して上記で説明したように、１つ以上のｓＴＴＩは、アップリンク−ダウンリンクＴＤＤ  ｓＴＴＩコンフィギュレーションに関係するパターンに少なくとも部分的に基づいて決定される。
【０１１１】
［００１１６］
プロセス１１００は、追加の態様、例えば、以下で説明する任意の単一の態様をまたは態様の何れかの組み合わせを含んでいてもよい。
【０１１２】
［００１１７］
いくつかの態様では、パターンは、初期ｓＴＴＩに少なくとも部分的に基づいて決定される。いくつかの態様では、パターンは、チャネル品質情報に少なくとも部分的に基づいて決定される。いくつかの態様では、パターンは、無線リソース制御（ＲＲＣ）コンフィギュレーションメッセージ、ダウンリンク制御情報（ＤＣＩ）、または、これらのいくつかの組み合わせのうちの少なくとも１つにおいて示される。いくつかの態様では、パターンは、初期通信に関係する反復の回数に少なくとも部分的に基づいて決定される。いくつかの態様では、反復の回数は、ダウンリンク制御情報において示される。
【０１１３】
［００１１８］
いくつかの態様では、パターンは、レイテンシ要件または信頼性要件のうちの少なくとも１つを満足させることを可能にする。いくつかの態様では、アップリンク−ダウンリンクＴＤＤ  ｓＴＴＩコンフィギュレーションは、反復機会のしきい値数と、しきい値を満たす再送信タイミングを可能にするｓＴＴＩ割り振りと、これらのいくつかの組み合わせとを含んでいる。いくつかの態様では、初期通信の少なくとも１回の反復または再送信のうちの最後の反復は、最後の反復に対応する肯定応答または否定応答（ＡＣＫ／ＮＡＣＫ）フィードバックの送信に対する特定されているタイミングを満たす。
【０１１４】
［００１１９］
いくつかの態様では、パターンは、１回以上の反復を含み、再送信を含まない。いくつかの態様では、アップリンク−ダウンリンクＴＤＤ  ｓＴＴＩコンフィギュレーションが、レイテンシ要件または信頼性要件のうちの少なくとも１つを満たす再送信タイミングを可能にしないとき、パターンは、１回以上の反復を含み、再送信を含まない。
【０１１５】
［００１２０］
いくつかの態様では、パターンは、１回以上の再送信を含み、反復を含まない。いくつかの態様では、アップリンク−ダウンリンクＴＤＤ  ｓＴＴＩコンフィギュレーションが、肯定応答または否定応答（ＡＣＫ／ＮＡＣＫ）フィードバックの送信に対するおよび対応する再送信に対する機会のしきい値数を含むとき、パターンは、１回以上の再送信を含み、反復を含まない。
【０１１６】
［００１２１］
いくつかの態様では、パターンは、１回以上の反復と１回以上の再送信とを含んでいる。いくつかの態様では、肯定応答または否定応答（ＡＣＫ／ＮＡＣＫ）フィードバックの送信に対するおよび対応する再送信に対する機会の数が、第１のしきい値を満たすが、第２のしきい値を満たさないとき、パターンは、１回以上の反復と１回以上の再送信とを含んでいる。
【０１１７】
［００１２２］
いくつかの態様では、パターンは、１回以上の反復が続く再送信を含んでいる。いくつかの態様では、１回以上の反復の回数は、初期通信に対応する否定応答（ＮＡＣＫ）の送信に関連して受信デバイスにより報告されるチャネル品質情報に少なくとも部分的に基づいて決定される。
【０１１８】
［００１２３］
いくつかの態様では、パターンは、１回以上の再送信が続く１回以上の反復を含んでいる。いくつかの態様では、チャネル品質情報は、１回以上の反復のうちの最後の反復に対応する否定応答（ＮＡＣＫ）の送信に関連して、受信デバイスにより報告される。いくつかの態様では、１回以上の再送信には、１回以上の追加の反復が続き、１回以上の追加の反復の回数は、受信デバイスにより報告されるチャネル品質情報に少なくとも部分的に基づいて決定される。
【０１１９】
［００１２４］
いくつかの態様では、パターンは、拡張干渉緩和およびトラフィック適応に関係する、１つ以上のアンカーｓＴＴＩまたは１つ以上の非アンカーｓＴＴＩの決定に少なくとも部分的に基づいて決定される。いくつかの態様では、パターンは、特定の数のｓＴＴＩに関連するレイテンシ要件の満足を可能にする。いくつかの態様では、受信デバイスは、超高信頼性低レイテンシ通信（ＵＲＬＬＣ）モードで動作しており、パターンは、ＵＲＬＬＣ要件の満足を可能にする。いくつかの態様では、受信デバイスは、ユーザ機器である。いくつかの態様では、受信デバイスは、基地局である。いくつかの態様では、アップリンク−ダウンリンクＴＤＤ  ｓＴＴＩコンフィギュレーションは、アップリンク−ダウンリンクＴＤＤ  ｓＴＴＩコンフィギュレーションに関係する、搬送波のアップリンク−ダウンリンクＴＤＤサブフレームコンフィギュレーションに少なくとも部分的に基づいている。
【０１２０】
［００１２５］
図１１は、プロセス１１００の例示的なブロックを示し、いくつかの態様では、プロセス１１００は、図１１に示すブロックに対して、追加のブロック、より少ないブロック、異なるブロック、または、異なる配置のブロックを含んでいてもよい。追加的にまたは代替的に、プロセス１１００のブロックのうちの２つ以上が、並列に実行されてもよい。
【０１２１】
［００１２６］
図１２は、本開示のさまざまな態様による、例えば、送信デバイスにより実行される例示的なプロセス１２００を示す図である。例示的なプロセス１２００は、送信デバイス（例えば、送信デバイス５０５、ＵＥ１２０、基地局１１０、および／または、これらに類するもの）が、ＴＤＤワイヤレス通信システムにおいて高信頼性低レイテンシ動作を実行する例である。
【０１２２】
［００１２７］
図１２に示されているように、いくつかの態様では、プロセス１２００は、アップリンク−ダウンリンクＴＤＤ  ｓＴＴＩコンフィギュレーションを決定することを含んでいてもよい（ブロック１２１０）。例えば、図４〜１０に関連して上記で説明したように、送信デバイスは、（例えば、制御装置／プロセッサ２４０、制御装置／プロセッサ、および／または、これらに類するものを使用して）アップリンク−ダウンリンクＴＤＤ  ｓＴＴＩコンフィギュレーションを決定してもよい。
【０１２３】
［００１２８］
図１２にさらに示されているように、いくつかの態様では、プロセス１２００は、初期通信の送信のために、アップリンク−ダウンリンクＴＤＤ  ｓＴＴＩコンフィギュレーション内の初期ｓＴＴＩを決定することを含んでいてもよい（ブロック１２２０）。例えば、図４〜１０に関連して上記で説明したように、送信デバイスは、初期通信の送信のために、（例えば、制御装置／プロセッサ２４０、制御装置／プロセッサ２８０、および／または、これらに類するものを使用して）アップリンクダウンＴＤＤ  ｓＴＴＩコンフィギュレーション内の初期ｓＴＴＩを決定してもよい。
【０１２４】
［００１２９］
図１２にさらに示されているように、いくつかの態様では、プロセス１２００は、初期ｓＴＴＩに続く１つ以上のｓＴＴＩ中で、初期通信の少なくとも１回の反復または再送信を送信することを含んでいてもよく、１つ以上のｓＴＴＩは、アップリンク−ダウンリンクＴＤＤ  ｓＴＴＩコンフィギュレーションに関係するパターンに少なくとも部分的に基づいて決定される（ブロック１２３０）。例えば、図４〜１０に関連して上記で説明したように、送信デバイスは、（例えば、制御装置／プロセッサ２４０、送信プロセッサ２２０、ＴＸ  ＭＩＭＯプロセッサ２３０、ＭＯＤ２３２、アンテナ２３４、制御装置／プロセッサ２８０、送信プロセッサ２６４、ＴＸ  ＭＩＭＯプロセッサ２６６、ＭＯＤ２５４、アンテナ２５２、および／または、これらに類するものを使用して）初期ｓＴＴＩに後続する１つ以上のｓＴＴＩ中で、初期通信の少なくとも１回の反復または再送信を送信してもよい。いくつかの態様では、図４〜１０に関連して上記で説明したように、１つ以上のｓＴＴＩは、アップリンク−ダウンリンクＴＤＤ  ｓＴＴＩコンフィギュレーションに関係するパターンに少なくとも部分的に基づいて決定される。
【０１２５】
［００１３０］
プロセス１２００は、追加の態様、例えば、以下で説明する任意の単一の態様または態様の何れかの組み合わせを含んでいてもよい。
【０１２６】
［００１３１］
いくつかの態様では、パターンは、初期ｓＴＴＩに少なくとも部分的に基づいて決定される。いくつかの態様では、パターンは、チャネル品質情報に少なくとも部分的に基づいて決定される。いくつかの態様では、パターンは、無線リソース制御（ＲＲＣ）コンフィギュレーションメッセージ、ダウンリンク制御情報（ＤＣＩ）、または、これらのいくつかの組み合わせのうちの少なくとも１つにおいて示される。いくつかの態様では、パターンは、初期通信に関係する反復の回数に少なくとも部分的に基づいて決定される。いくつかの態様では、反復の回数は、ダウンリンク制御情報において示される。
【０１２７】
［００１３２］
いくつかの態様では、パターンは、レイテンシ要件または信頼性要件のうちの少なくとも１つを満足させることを可能にする。いくつかの態様では、アップリンク−ダウンリンクＴＤＤ  ｓＴＴＩコンフィギュレーションは、反復機会のしきい値数と、しきい値を満たす再送信タイミングを可能にするｓＴＴＩ割り振りと、これらのいくつかの組み合わせとを含んでいる。いくつかの態様では、初期通信の少なくとも１回の反復または再送信のうちの最後の反復は、最後の反復に対応する肯定応答または否定応答（ＡＣＫ／ＮＡＣＫ）フィードバックの送信に対する特定されているタイミングを満たす。
【０１２８】
［００１３３］
いくつかの態様では、パターンは、１回以上の反復を含み、再送信を含まない。いくつかの態様では、アップリンク−ダウンリンクＴＤＤ  ｓＴＴＩコンフィギュレーションが、レイテンシ要件または信頼性要件のうちの少なくとも１つを満たす再送信タイミングを可能にしないとき、パターンは、１回以上の反復を含み、再送信を含まない。
【０１２９】
［００１３４］
いくつかの態様では、パターンは、１回以上の再送信を含み、反復を含まない。いくつかの態様では、アップリンク−ダウンリンクＴＤＤ  ｓＴＴＩコンフィギュレーションが、肯定応答または否定応答（ＡＣＫ／ＮＡＣＫ）フィードバックの送信に対するおよび対応する再送信に対する機会のしきい値数を含むとき、パターンは、１回以上の再送信を含み、反復を含まない。
【０１３０】
［００１３５］
いくつかの態様では、パターンは、１回以上の反復と１回以上の再送信とを含んでいる。いくつかの態様では、肯定応答または否定応答（ＡＣＫ／ＮＡＣＫ）フィードバックの送信に対するおよび対応する再送信に対する機会の数が、第１のしきい値を満たすが、第２のしきい値を満たさないとき、パターンは、１回以上の反復と１回以上の再送信とを含んでいる。
【０１３１】
［００１３６］
いくつかの態様では、パターンは、１回以上の反復が続く再送信を含んでいる。いくつかの態様では、１回以上の反復の回数は、初期通信に対応する否定応答（ＮＡＣＫ）の送信に関連して報告されるチャネル品質情報に少なくとも部分的に基づいて決定される。
【０１３２】
［００１３７］
いくつかの態様では、パターンは、１回以上の再送信が続く１回以上の反復を含んでいる。いくつかの態様では、チャネル品質情報は、１回以上の反復のうちの最後の反復に対応する否定応答（ＮＡＣＫ）の送信に関連して報告される。いくつかの態様では、１回以上の再送信には、１回以上の追加の反復が続き、１回以上の追加の反復の回数は、チャネル品質情報に少なくとも部分的に基づいて決定される。
【０１３３】
［００１３８］
いくつかの態様では、パターンは、拡張干渉緩和およびトラフィック適応に関係する、１つ以上のアンカーｓＴＴＩまたは１つ以上の非アンカーｓＴＴＩの決定に少なくとも部分的に基づいて決定される。いくつかの態様では、パターンは、特定の数のｓＴＴＩに関連するレイテンシ要件の満足を可能にする。いくつかの態様では、送信デバイスは、超高信頼性低レイテンシ通信（ＵＲＬＬＣ）モードで動作しており、パターンは、ＵＲＬＬＣ要件の満足を満たすことを可能にする。いくつかの態様では、送信デバイスは、ユーザ機器である。いくつかの態様では、送信デバイスは、基地局である。いくつかの態様では、アップリンク−ダウンリンクＴＤＤ  ｓＴＴＩコンフィギュレーションは、アップリンク−ダウンリンクＴＤＤ  ｓＴＴＩコンフィギュレーションに関係する、搬送波のアップリンク−ダウンリンクＴＤＤサブフレームコンフィギュレーションに少なくとも部分的に基づいている。
【０１３４】
［００１３９］
図１２は、プロセス１２００の例示的なブロックを示し、いくつかの態様では、プロセス１２００は、図１２に示すブロックに対して、追加のブロック、より少ないブロック、異なるブロック、または、異なる配置のブロックを含んでいてもよい。追加的にまたは代替的に、プロセス１２００のブロックのうちの２つ以上が、並列に実行されてもよい。
【０１３５】
［００１４０］
前述の開示は、例示および説明を提供しているが、網羅的であること、または、本態様を開示された厳密な形態に限定することを意図したものではない。上記開示の観点から修正または変形してもよく、態様の実施から修正または変形を獲得してもよい。
【０１３６】
［００１４１］
ここで使用されるように、「コンポーネント」という用語は、ハードウェア、ファームウェア、または、ハードウェアとソフトウェアの組み合わせとして広く解釈されることが意図されている。ここで使用されるように、プロセッサは、ハードウェア、ファームウェア、または、ハードウェアとソフトウェアの組み合わせで実現される。
【０１３７】
［００１４２］
いくつかの態様を、しきい値に関連してここで説明する。ここで使用されるように、しきい値を満たすことは、状況に依存して、値が、しきい値より大きい、しきい値以上、しきい値未満、しきい値以下、しきい値に等しい、しきい値に等しくない、および／または、これらに類するものを指しているかもしれない。
【０１３８】
［００１４３］
ここで説明するシステムおよび／または方法は、異なる形態のハードウェア、ファームウェア、または、ハードウェアおよびソフトウェアの組み合わせで実現してもよいことは明らかであろう。これらのシステムおよび／または方法を実現するために使用される実際の特殊化されている制御ハードウェアまたはソフトウェアコードは、これらの態様を限定するものではない。したがって、システムおよび／または方法の動作および挙動は、特定のソフトウェアコードを参照することなくここで説明するが、ソフトウェアおよびハードウェアは、ここでの説明に少なくとも部分的に基づいて、システムおよび／または方法を実現するように設計されていてもよいことが理解される。
【０１３９】
［００１４４］
特徴の特定の組み合わせが特許請求の範囲に記載され、および／または、明細書に開示されているとしても、これらの組み合わせは、可能な態様の開示を限定することを意図していない。実際、これらの特徴の多くは、特許請求の範囲において具体的に記載されておらず、および／または、本明細書において開示されていない方法で組み合わされてもよい。以下に列挙される各従属請求項は、１つの請求項のみに直接従属しているかもしれないが、可能な態様の開示は、請求項セット中の他のすべての請求項と組み合わせた、各従属請求項を含んでいる。項目のリスト「のうちの少なくとも１つ」を指す句は、単一のメンバーを含む、これらの項目の任意の組み合わせを指す。例として、「ａ、ｂ、または、ｃのうちの少なくとも１つ」は、ａ、ｂ、ｃ、ａ−ｂ、ａ−ｃ、ｂ−ｃ、および、ａ−ｂ−ｃ、ならびに、同じ要素の倍数を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、他の任意の順序のａ、ｂ、および、ｃ）をカバーすることが意図されている。
【０１４０】
［００１４５］
ここで使用される要素、行為、または、命令は、そのように明示的に記載されていない限り、重要または必須であると解釈されるべきでない。また、ここで使用される場合、冠詞「ａ」および「ａｎ」は、１つ以上の項目を含むことを意図しており、「１つ以上」と互換的に使用されているかもしれない。さらに、ここで使用される場合、「セット」および「グループ」という用語は、１つ以上の項目（例えば、関連項目、無関係項目、関連項目および無関係項目の組み合わせ、および／または、これらに類するもの）を含むことが意図され、「１つ以上」と互換的に使用されているかもしれない。ただ１つの項目が意図されている場合、「ただ１つの」の用語またはこれに類する言語が使用されている。また、ここで使用される場合、「有する（ｈａｓ）」、「有する（ｈａｖｅ）」、「有する（ｈａｖｉｎｇ）」、および／または、これらに類するもの用語は、オープンエンドの用語であることが意図されている。さらに、「に基づく」という句は、別段の明示がない限り、「少なくとも部分的に基づいて」を意味することを意図している。
【図１】
2021507585.tif 000003
【図２】
2021507585.tif 000004
【図３】
2021507585.tif 000005
【図４】
2021507585.tif 000006
【図５】
2021507585.tif 000007
【図６】
2021507585.tif 000008
【図７】
2021507585.tif 000009
【図８】
2021507585.tif 000010
【図９】
2021507585.tif 000011
【図１０】
2021507585.tif 000012
【図１１】
2021507585.tif 000013
【図１２】
2021507585.tif 000014
【国際調査報告】
2021507585.tif 000015
2021507585.tif 000016
2021507585.tif 000017
2021507585.tif 000018
2021507585.tif 000019
2021507585.tif 000020
2021507585.tif 000021
2021507585.tif 000022